(57)【特許請求の範囲】
【請求項１】
無線通信システムにおける通信スキームを識別することを容易にする方法であって、
プライマリ同期信号及びセカンダリ同期信号を生成することと、
無線フレーム内の位置に前記プライマリ同期信号と前記セカンダリ同期信号をマッピングすることと、互いに関連する前記プライマリ同期信号の前記位置と前記セカンダリ同期信号の前記位置は、基地局に対応する第１のパラメータの少なくとも一部分に基づいて決定され、前記プライマリ同期信号と前記セカンダリ同期信号は、前記第１のパラメータとは無関係の周期性でマッピングされ、前記周期性は、どのくらいの頻度で前記プライマリおよびセカンダリ同期信号が前記無線フレームにおいて送信されるかを示し、
ダウンリンク上で前記無線フレーム内の前記位置において前記プライマリ同期信号と前記セカンダリ同期信号を送信することと、
を備える方法。
【発明の詳細な説明】
【関連出願に対する相互参照】
【０００１】
本願は、２００７年１０月１０日に出願され、「通信システムのための効率的なシステム識別スキーム（EFFICIENT SYSTEM IDENTIFICATION SCHEMES FOR COMMUNICATION SYSTEMS）」と題された米国の仮特許出願番号第６０／９７９，０５６号と、２００７年１０月２４日に出願され、「通信システムのための効率システム識別スキーム（EFFICIENT SYSTEM IDENTIFICATION SCHEMES FOR COMMUNICATION SYSTEMS）」と題された米国仮特許出願番号第６０／９８２，２６５号と、２００８年１月２５日に出願され「通信システムのための効率システム識別スキーム（EFFICIENT SYSTEM IDENTIFICATION SCHEMES FOR COMMUNICATION SYSTEMS）」と題された米国仮特許出願番号第６１／０２３，５２８号の利益を主張する。前述した出願の全体は、参照によりここにおいて組み込まれている。
【技術分野】
【０００２】
下記の説明は、一般的には無線通信に関し、より具体的には、無線通信システムにおけるシステムパラメータ（単数または複数）を示すための効率的なスキーム(efficient scheme)を利用することに関する。
【背景技術】
【０００３】
無線通信システムは、様々な通信サービスを提供するために広く展開されており、例えば、ボイス及び／またはデータは、そのような無線通信システムを介して提供されることができる。典型的な無線通信システム、あるいはネットワークは、１つまたは複数の共有リソース(例えば、帯域幅、伝送パワー、…)へのアクセスを複数ユーザに提供することができる。例えば、システムは、周波数分割多重化（ＦＤＭ）、時分割多重化（ＴＤＭ）、符号分割多重化（ＣＤＭＡ）、直交周波数分割多重化（ＯＦＤＭ）、及び他のもの、のような様々な多元接続技術を使用することができる。
【０００４】
一般的に、無線多元接続通信システムは、複数の接続端末のための通信を同時にサポートすることができる。各アクセス端末は、順方向リンクと逆方向リンク上の送信を介して、１つまたは複数の基地局と通信することができる。順方向リンク(あるいは「ダウンリンク」)は基地局からアクセス端末までの通信リンクを指し、逆方向リンク(あるいは「アップリンク」)は、アクセス端末から基地局までの通信リンクを指す。この通信リンクは、シングルインシングルアウト、マルチプルインシングルアウト、あるいは、マルチプルインマルチプルアウト(multiple-in-multiple-out)（ＭＩＭＯ）システムを介して、確立されることができる。
【０００５】
ＭＩＭＯシステムは、データ送信のために、マルチプル（ＮＴ）送信アンテナと、マルチプル（ＮＲ）受信アンテナを一般的に利用する。ＮＴ送信アンテナと、ＮＲ受信アンテナによって形成されたＭＩＭＯチャネルは、Ｎｓ独立チャネルに分解されることができ、そしてそれは、空間チャネルと呼ばれることができ、ここでは、Ｎｓ≦｛ＮＴ，ＮＲ｝である。Ｎｓ独立チャネルのそれぞれは1つの次元(a dimension)に対応する。さらに、マルチプル送信及び受信アンテナによって作られる追加の次元(additional dimensionalities)が利用される場合には、ＭＩＭＯシステムは、改善された性能（例、増大されたスペクトル効率、より高いスループット、および／または、より大きな信頼性(greater reliability)）を提供することができる。
【０００６】
ＭＩＭＯシステムは、共通物理媒体(common physical medium)上で順方向及び逆方向リンク通信を分割するために、様々なデュプレキシング技術(various duplexing techniques)をサポートすることができる。例えば、周波数分割デュプレクス(frequency division duplex)（ＦＤＤ）システムは、順方向及び逆方向リンク通信のために異なる周波数ドメインを利用することができる。さらに、時分割デュプレクス(time division duplex)（ＴＤＤ）システムでは、順方向及び逆方向リンクの通信は、共通周波数ドメインを利用することができるので、相互作用の原理(reciprocity principle)は逆方向リンクチャネルからの順方向リンクチャネルの推定を可能にする。
【０００７】
無線通信システムは、サービスエリア(coverage area)を提供する1つまたは複数の基地局をしばしば利用する。一般的な基地局は、ブロードキャスト、マルチキャスト、及び／またはユニキャスト、のサービスのために、マルチプルデータストリームを送信することができ、ここでは、データストリームは、アクセス端末に対し独立受信対象でありうるデータのストリームであることができる。そのような基地局のサービスエリア内のアクセス端末は、合成ストリームによって搬送される、１つ、１以上、あるいはすべてのデータストリームを受信するために利用されることができる。同様に、アクセス端末は、基地局あるいは別のアクセス端末に対してデータを送信することができる。
【０００８】
様々なパラメータ（単数または複数）は、無線通信システムにおける各基地局と関連づけられることができる。パラメータ（単数または複数）は、無線フレーム構造タイプ、デュプレキシング技術、セルタイプ、ユニキャスト対マルチキャストオペレーション、等に関連することができる。例えば、基地局は、２つの可能無線フレーム構造のうちの１つ（例、発展型ＵＭＴＳ地上無線接続（Ｅ−ＵＴＲＡ）仕様書に記載されているフレーム構造タイプ１あるいはフレーム構造タイプ２）を利用することができる。さらに、基地局はＴＤＤシステムあるいはＦＤＤシステムの一部であることができる。さらに、基地局はマクロセル(macrocell)あるいはフェムトセル(femto cell)に関連づけられることができる。追加的に、あるいは、代替的に、基地局は、ユニキャストシステムあるいはマルチキャストシステムの一部であることができる。
【０００９】
従来、アクセス端末は、それらの間の接続の初期化のときに相互作用している基地局に関連づけられたパラメータ（単数または複数）についての知識を欠く。例えば、電源を入れるとき(upon power-up)、アクセス端末は、特定の基地局に対してデータを送信すること、及び/または、特定の基地局からデータを受信すること、を始めることができる。しかしながら、アクセス端末は、無線フレーム構造タイプ、デュプレキシング技術、セルタイプ、及び／または、通信している基地局に関連づけられたあるいは通信している基地局によって使用されたユニキャスト／マルチキャストオペレーション、に気づかない可能性がある。
【００１０】
対応する基地局に関連づけられた様々なパラメータ（単数または複数）を識別するために、アクセス端末によって利用された共通技術は、しばしば、非効率で時間を消費する。例として、アクセス端末は、その後に続いて転送された情報(subsequently transferred information)に加えて、ブロードキャストチャネル上で送信された情報を復号することによって、獲得を典型的に有効にする(effectuates)。したがって、基地局によって送信された信号は、前述のパラメータのうちの１つまたは複数を決定するために、一般に復号される。しかしながら、このようなパラメータ（単数または複数）が知られていないときには、これらの信号の復号は、せいぜい(at best)困難であり得る。一例によれば、ブラインドの循環プリフィックス（ＣＰ）検出を利用するとき、アクセス端末は、フレーム構造タイプ１及びフレーム構造タイプ２の使用間で区別することができない可能性がある。
【発明の概要】
【００１１】
以下は、そのような実施形態の基本的な理解を提供するために、１つまたは複数の実施形態の簡略化された概要(summary)を示す。この概要は、すべての熟考された実施形態の広範囲な全体像ではなく、すべての実施形態の重要な／決定的な要素を識別することも、あるいは、いずれのあるいはすべての実施形態の範囲を詳細に描写することも、意図されていない。その唯一の目的は、後で示される、より詳細な説明の前置きとして、簡略化された形で１つまたは複数の実施形態のいくつかの概念(concepts)を示すことである。
【００１２】
１つまたは複数の実施形態及びその対応する開示にしたがって、様々な態様は、無線通信環境において同期信号を使用して基地局に関連づけられたパラメータ（単数または複数）の効率的なインジケーション(indication)を容易にすることに関連して説明されている。例えば、無線フレームにおけるＰＳＣ及びＳＳＣの相対的な位置(relative locations)は、パラメータの関数(a function of a parameter)であることができる。さらに、ＰＳＣｓを生成するために使用されたＰＳＣシーケンスは、パラメータに基づいて、選択されることができる。さらに、無線フレームからのＰＳＣｓの含有あるいは排除は、パラメータの関数であることができる。追加的に、あるいは、代替的に、擬似ランダムシーケンスマッピング（例、セルＩＤ、トーン位置への）はパラメータの関数であることができる。パラメータの例は、基地局がＴＤＤシステムあるいはＦＤＤシステムの一部であるかどうか、無線フレームがＦＳ１あるいはＦＳ２を利用するかどうか、基地局がマクロセルあるいはフェムトセルに関連づけられているかどうか、あるいは、基地局がユニキャストシステムあるいはマルチキャストシステムに関連づけられているかどうか、であることができる。
【００１３】
関連態様にしたがって、無線通信環境における基地局に関する１つまたは複数のパラメータを識別することを容易にする方法は、ここにおいて説明されている。方法は、プライマリ同期コード（ＰＳＣ）と、セカンダリ同期コード（ＳＳＣ）を生成することを含むことができる。さらに、方法は、基地局に対応する第１のパラメータの関数として、無線フレームにおいて相対的な位置でＰＳＣ及びＳＳＣをスケジュールすることを備えることができる。さらに、方法は、ＰＳＣ及びＳＳＣの相対的な位置に基づいて、第１のパラメータを示すためにダウンリンク上で無線フレームを送信することを含むことができる。
【００１４】
別の態様は無線通信装置に関する。無線通信装置は、基地局の第１のパラメータに基づいてプライマリ同期化コード（ＰＳＣ）シーケンスを選択することと、その選択されたＰＳＣシーケンスに基づいてプライマリ同期化コード（ＰＳＣ）を生成することと、その選択されたＰＳＣシーケンスに基づいて第１のパラメータを示すためにダウンリンク上で生成ＰＳＣを含む無線フレームを送信することと、に関する命令を保持するメモリを含むことができる。さらに、無線通信装置は、メモリに保持された命令を実行するように構成された、メモリに結合されたプロセッサを含むことができる。
【００１５】
さらに、別の態様は、無線通信環境における少なくとも1つのアクセス端末に対して1つまたは複数のパラメータを効率的に示すことを可能にする無線通信装置(wireless communications apparatus)に関する。無線通信装置は、基地局に対応する第１のパラメータの関数として、無線フレームにおいて相対的な位置で、プライマリ同期化コード（ＰＳＣ）とセカンダリ同期化コード（ＳＳＣ）をスケジュールするための手段を含むことができる。さらに、無線通信装置は、ＰＳＣ及びＳＳＣの相対的な位置に基づいて第１のパラメータを識別するためにダウンリンク上で無線フレームを送信するための手段を含むことができる。
【００１６】
さらに、別の態様は、コンピュータ可読媒体(computer-readable medium)を備えることができるコンピュータプログラムプロダクト(computer program product)に関する。コンピュータ可読媒体は、基地局の第１のパラメータに基づいて、プライマリ同期化コード（ＰＳＣ）シーケンスを選択するためのコードを含むことができる。さらに、コンピュータ可読媒体は、その選択されたＰＳＣシーケンスに基づいてプライマリ同期化コード（ＰＳＣ）を生成するためのコードを含むことができる。さらに、コンピュータ可読媒体は、その選択されたＰＳＣシーケンスに基づいて第１のパラメータを示すためにダウンリンク上で生成ＰＳＣを含む無線フレームを送信するためのコード、を含むことができる。
【００１７】
別の態様にしたがって、無線通信システムにおける装置は、プロセッサを含むことができ、なお、プロセッサは、基地局に対応する第１のパラメータの関数として無線フレームにおいて相対的な位置で、プライマリ同期化コード（ＰＳＣ）とセカンダリ同期化コード（ＳＳＣ）をスケジュールするように構成されることができる。さらに、プロセッサは、ＰＳＣ及びＳＳＣの相対的な位置に基づいて第１のパラメータを識別するためにダウンリンク上で無線フレームを送信するように構成されることができる。
【００１８】
他の態様にしたがって、無線通信環境における基地局に対応する少なくとも1つのパラメータを解読することを容易にする方法は、ここにおいて説明されている。その方法は、基地局から無線フレームを受信することを含むことができる。さらに、方法は、異なるタイプの同期信号の相対的な位置、特定タイプの同期信号を生成するために利用されたシーケンス、あるいは無線フレームが２つのタイプの同期信号を含むかどうか、のうちの少なくとも１つを決定するために無線フレームを分析すること、を含むことができる。さらに、方法は、基地局に関連づけられた少なくとも１つのパラメータを、相対的な位置、シーケンス、あるいは、無線フレームが２つのタイプの同期信号を含むかどうか、に基づいて認識することを備えることができる。
【００１９】
さらに別の態様は、基地局から無線フレームを受信することと、異なるタイプの同期信号の相対的な位置、特定タイプの同期信号を生成するために利用されたシーケンス、あるいは、無線フレームが２つのタイプの同期信号を含むかどうか、のうちの少なくとも１つを決定するために無線フレームを分析することと、基地局に関連づけられた少なくとも１つのパラメータを、相対的な位置、シーケンス、あるいは、無線フレームが２つのタイプの同期信号を含むかどうか、に基づいて認識することと、に関する命令を保持するメモリを含むことができる無線通信装置に関する。さらに、無線通信装置は、メモリに保持された命令を実行するように構成された、メモリに結合されたプロセッサを備えることができる。
【００２０】
別の態様は、無線通信環境における基地局に関して１つまたは複数のパラメータを識別することが可能な無線通信装置に関する。無線通信装置は、異なるタイプの同期信号の相対的な位置、特定タイプの同期信号を生成するために利用されたシーケンス、あるいは、無線フレームが２つのタイプの同期信号を含むかどうか、のうちの少なくとも１つを解読するために無線フレームを分析するための手段を含むことができる。さらに無線通信装置は、基地局に関連づけられた少なくとも１つのパラメータを、相対的な位置、シーケンス、あるいは、無線フレームが２つのタイプの同期信号を含むかどうか、に基づいて認識するための手段、を含むことができる。
【００２１】
さらに、別の態様は、コンピュータ可読媒体を備えることができるコンピュータプログラムプロダクトに関する。コンピュータ可読媒体は、異なるタイプの同期信号の相対的な位置、特定タイプの同期信号を生成するために利用されたシーケンス、あるいは無線フレームが２つのタイプの同期信号を含むかどうか、のうちの少なくとも１つを解読するために無線フレームを分析するためのコードを含むことができる。さらに、コンピュータ可読媒体は、基地局に関連づけられた少なくとも１つのパラメータを、相対的な位置、シーケンス、あるいは、無線フレームが２つのタイプの同期信号を含むかどうか、に基づいて認識するためのコード、を備えることができる。
【００２２】
別の態様にしたがって、無線通信システムにおける装置は、プロセッサを含むことができ、プロセッサは、異なるタイプの同期信号の相対的な位置、特定タイプの同期信号を生成するために使用されたシーケンス、あるいは、無線フレームが２つのタイプの同期信号を含むかどうか、のうちの少なくとも１つを解読するために基地局から受信された無線フレームを評価するように構成されることができる。さらに、プロセッサは、基地局に関連づけられた少なくとも１つのパラメータを、相対的な位置、シーケンス、あるいは、無線フレームが２つのタイプの同期信号を含むかどうか、に基づいて決定するように構成されることができる。
【００２３】
前述及び関連する目的の実現のために、１つまたは複数の実施形態は、下記で十分に説明され、特に特許請求の範囲において指摘された、特徴を備える。下記の説明及び添付図面は、１つまたは複数の実施形態のある説明のための態様において詳細に記載されている。しかしながら、これらの態様は、様々な実施形態の原理が使用されることができる、ほんのいくつかの様々な方法を示しており、説明された実施形態は、すべてのそのような態様及びそれらの同等物(equivalents)を含むように意図されている。
【図面の簡単な説明】
【００２４】
【図１】図１は、ここに記載された様々な態様にしたがった無線通信システムの図である。
【図２】図２は、フレーム構造タイプ１（ＦＳ１）無線フレームの例の図である。
【図３】図３は、フレーム構造タイプ２（ＦＳ２）無線フレームの例の図である。
【図４】図４は、無線通信環境において基地局関連パラメータ（単数または複数）を示すために、同期信号を使用するシステムの一例の図である。
【図５】図５−６は、１つまたは複数のパラメータに関する情報を広めるために、同期信号の相対的な位置を使用する無線フレームの構造の一例の図である。
【図６】図５−６は、１つまたは複数のパラメータに関する情報を広めるために、同期信号の相対的な位置を使用する無線フレームの構造の一例の図である。
【図７】図７は、無線通信環境における基地局に関する１つまたは複数のパラメータを識別することを容易にする方法の一例の図である。
【図８】図８は、無線通信環境における基地局に対応する1つまたは複数のパラメータを示すことを容易にする方法の一例の図である。
【図９】図９は、無線通信環境における基地局に対応する少なくとも1つのパラメータを解読することを容易にする方法の一例の図である。
【図１０】図１０は、無線通信システムにおける効率的な識別スキームを使用して基地局に関連づけられたパラメータ（単数または複数）を認識するアクセス端末の一例の図である。
【図１１】図１１は、無線通信環境におけるアクセス端末に対して、パラメータ（単数または複数）を示すために、同期信号を利用するシステムの一例の図である。
【図１２】図１２は、ここにおいて記載された様々なシステム及び方法と共に、利用されることができるワイヤレスネットワーク環境の一例の図である。
【図１３】図１３は、無線通信環境における少なくとも１つのアクセス端末に対して１つまたは複数のパラメータを効率的に示すことを可能にするシステムの一例の図である。
【図１４】図１４は、無線通信環境における基地局に関して１つまたは複数のパラメータを識別することを可能にするシステムの一例の図である。
【発明を実施するための形態】
【００２５】
様々な実施形態は、図面を参照してこれから説明されており、同様の参照番号は、全体にわたって、同様の要素を指すように使用される。下記の説明では、説明の目的のために、多くの具体的な詳細が、１つまたは複数の実施形態の十分な理解を提供するために記載されている。しかしながら、そのような実施形態（単数または複数）は、これらの具体的な詳細無しに実行されることができるということは明らかである。他の例においては、よく知られている構造及びデバイスは、１つまたは複数の実施形態を説明することを容易にするために、ブロック図形式で示されている。
【００２６】
本願で使用されるように、用語「コンポーネント(component)」、「モジュール(module)」、「システム(system)」、及び同様なものは、コンピュータ関連のエンティティ(computer-related entity)、ハードウェアか、ファームウェアか、ハードウェアとソフトウェアの組み合わせか、ソフトウェアか、あるいは実行中のソフトウェアか、を指すように意図されている。例えば、コンポーネントは、限定されてはいないが、プロセッサ上で実行中のプロセス、プロセッサ、オブジェクト(object)、実行ファイル(an executable)、実行スレッド(thread of execution)、プログラム、及び／またはコンピュータ、であってもよい。例として、コンピューティングデバイス上で実行しているアプリケーションと該コンピューティングデバイスの両方は、コンポーネントであってもよい。１つまたは複数のコンポーネントは、プロセス及び／または実行スレッド内に常駐(reside)することができ、また、コンポーネントは、１つのコンピュータ上で局在化されてもよいし、及び／または、２つ以上のコンピュータの間で分散されてもよい。さらに、これらのコンポーネントは、様々なデータ構造を保存している様々なコンピュータ可読媒体から実行することが出来る。コンポーネントは、ローカルなプロセス及び／または遠隔のプロセスで、例えば、１つまたは複数のデータパケット（例、ローカルシステム、分散システムにおいて、及び／または、信号経由で他のシステムを備えたインターネットのようなネットワーク上で、別のコンポーネントと相互作用している１つのコンポーネントからのデータ）を有している信号にしたがって、通信することが出来る。
【００２７】
ここにおいて説明される技術は、符号分割多重接続（ＣＤＭＡ）システム、時分割多重接続（ＴＤＭＡ）システム、周波数分割多重接続（ＦＤＭＡ）システム、直交周波数分割多重接続（ＯＦＤＭＡ）システム、シングルキャリア周波数分割多重化(single carrier-frequency division multiple access)（ＳＣ−ＦＤＭＡ）及び他のシステム等のような様々な無線通信システムに使用されることができる。用語「システム(system)」と「ネットワーク(network)」は、しばしば互換性を持って使用されている。ＣＤＭＡシステムは、ユニバーサル地上波無線接続(Universal Terrestrial Radio Access)（ＵＴＲＡ）、ＣＤＭＡ２０００等のような無線技術をインプリメントすることができる。ＵＴＲＡは、広帯域ＣＤＭＡ（Ｗ−ＣＤＭＡ）及びＣＤＭＡの他の変数を含む。ＣＤＭＡ２０００は、ＩＳ−２０００、ＩＳ−９５及びＩＳ−８５６規格をカバーする。ＴＤＭＡシステムは、モバイル通信のためのグローバルシステム(Global System for Mobile Communications)（ＧＳＭ(登録商標)）のような無線技術をインプリメントすることができる。ＯＦＤＭＡシステムは、発展型ＵＴＲＡ(Evolved UTRA)（Ｅ−ＵＴＲＡ）、ウルトラモバイルブロードバンド(Ultra Mobile Broadband)（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（登録商標）等のような無線技術をインプリメントすることができる。ＵＴＲＡ及びＥ−ＵＴＲＡは、ユニバーサルモバイルテレコミュニケーションシステム(Universal Mobile Telecommunication System)（ＵＭＴＳ）の一部である。３ＧＰＰロングタームエボリューション(Long Term Evolution)（ＬＴＥ）は、Ｅ−ＵＴＲＡを使用するＵＭＴＳのアップカミングリリース (upcoming release)であり、そしてそれは、ダウンリンク上でＯＦＤＭＡを、アップリンク上でＳＣ−ＦＤＭＡを、利用する。
【００２８】
単独搬送周波数分割多元接続（ＳＣ−ＦＤＭＡ）は、シングルキャリア変調(single carrier modulation)及び周波数ドメイン等化(frequency domain equalization)を利用する。ＳＣ−ＦＤＭＡは、ＯＦＤＭＡシステムのものと、同様な性能を有し、実質的には同じ全体的な複雑さを有している。ＳＣ−ＦＤＭＡ信号は、その固有のシングルキャリア構造により、より低い、ピーク対平均電力の比(peak-to-average power ratio)（ＰＡＰＲ）を有する。ＳＣ−ＦＤＭＡは、例えば、より低いＰＡＰＲが送信電力効率の点からアクセス端末に大いに利益を与えるアップリンク通信において、使用されることができる。したがって、ＳＣ−ＦＤＭＡは、３ＧＰＰロングタームエボリューション（ＬＴＥ）あるいは発展型ＵＴＲＡにおいて、アップリンク多元接続スキームとしてインプリメントされることができる。
【００２９】
さらに、様々な実施形態は、アクセス端末に関連して、ここにおいて記載されている。アクセス端末はまた、システム、加入者ユニット、加入者局、モバイル局、モバイル、遠隔局、遠隔端末、モバイルデバイス、ユーザ端末、端末、無線通信デバイス、ユーザエージェント、ユーザデバイス、あるいは、ユーザ機器（ＵＥ）と呼ばれることができる。アクセス端末は、セルラ電話、コードレス電話、セッションイニシエーションプロトコル(Session Initiation Protocol)（ＳＩＰ）電話、無線ローカルループ(wireless local loop)（ＷＬＬ）局、携帯情報端末（ＰＤＡ）、無線接続機能を有しているハンドヘルドデバイス、コンピューティングデバイス、あるいは無線モデムに接続されている他の処理デバイスであることができる。さらに、様々な実施形態は、基地局に関連してここにおいて記載されている。基地局は、アクセス端末（単数または複数）と通信するために使用されることができ、アクセスポイント、ノードＢ、発展型ノードＢ（ｅＮｏｄｅＢ）あるいは他の用語で呼ばれることができる。
【００３０】
さらに、ここにおいて説明される様々な態様あるいは特徴は、標準プログラミング及び／または工学技術を使用して、方法、装置、あるいは製造品としてインプリメントされることができる。ここにおいて使用されているように用語「製造品(article of manufacture)」は、いずれのコンピュータ可読デバイス、キャリア、あるいはメディアからアクセス可能なコンピュータプログラムを含むように意図されている。例えば、コンピュータ可読媒体は、限定されていないが、磁気保存デバイス（例、ハードディスク、フロッピー（登録商標）ディスク、磁気ストリップ(magnetic strips）等）、光学ディスク（例、コンパクトディスク（ＣＤ）、デジタル汎用ディスク（ＤＶＤ）等）、スマートカード、及びフラッシュメモリデバイス（例、ＥＰＲＯＭカード、スティック、キードライブ等）を含むことができる。さらに、ここにおいて説明される様々なストレージメディアは、１つまたは複数のデバイス及び／または情報を保存するための他のマシン可読媒体を表すことができる。用語「マシン可読媒体(machine-readable medium)」は、限定されていないが、無線チャネル及び、命令（単数または複数）あるいはデータを保存し、含み、あるいは搬送することができる他のメディア、を含むことができる。
【００３１】
図１を参照すると、ここにおいて提示される様々な実施形態にしたがって、無線通信システム１００が図示される。システム１００は、マルチプルアンテナグループを含むことができる基地局１０２を備える。例えば、１つのアンテナグループは、アンテナ１０４及び１０６を含むことができ、別のグループは、アンテナ１０８及び１１０を備えることができ、さらなるグループは、アンテナ１１２及び１１４を含むことができる。２つのアンテナは、各アンテナグループについて図示されているが、より多くの、あるいは、より少ないアンテナは、各グループのために使用されることができる。基地局１０２はさらに送信機チェイン及び受信機チェインを含むことができ、それらのそれぞれは、当業者によって理解されるように、信号の送信及び受信に関連づけられた複数のコンポーネント（例、プロセッサ、モジュレータ、マルチプレクサ、デモジュレータ、デマルチプレクサ、アンテナ、等）を代わりに備えることができる。
【００３２】
基地局１０２は、アクセス端末１１６及びアクセス端末１２２のような１つまたは複数のアクセス端末と通信することができるが、基地局１０２は、アクセス端末１１６及び１２２と同様な、実質的に任意の数のアクセス端末と通信することができるということは理解されるべきである。アクセス端末１１６及び１２２は、例えば、携帯電話(cellular phones)、スマートフォン、ラップトップ、ハンドヘルド通信デバイス、ハンドヘルドコンピューティングデバイス、衛星無線、グローバルポジショニングシステム、ＰＤＡｓ、及び／または、無線通信システム１００にわたって通信するためのいずれの他の適切なデバイス、であることができる。図示されているように、アクセス端末１１６は、アンテナ１１２及び１１４と通信しており、そこでは、アンテナ１１２及び１１４は、順方向リンク１１８にわたってアクセス端末１１６に対して情報を送信し、逆方向リンク１２０にわたってアクセス端末１１６から情報を受信する。さらに、アクセス端末１２２は、アンテナ１０４及び１０６と通信しており、そこでは、アンテナ１０４及び１０６は、順方向リンク１２４にわたってアクセス端末１２２に対して情報を送信し、逆方向リンク１２６にわたってアクセス端末１２２から情報を受信する。周波数分割デュプレクス（ＦＤＤ）システムでは、例えば、順方向リンク１１８は、逆方向リンク１２０によって使用されるそれとは異なる周波数帯域を利用することができ、順方向リンク１２４は、逆方向リンク１２６によって利用されるそれとは異なる周波数帯域を利用することができる。さらに、時分割デュプレクス（ＴＤＤ）システムでは、順方向リンク１１８及び逆方向リンク１２０は、共通の周波数帯域を利用することができ、順方向リンク１２４及び逆方向リンク１２６は、共通の周波数帯域を利用することができる。
【００３３】
各グループのアンテナ、及び／または、それらが通信するように指定されたエリアは、基地局１０２のセクタと呼ばれることができる。例えば、アンテナグループは、基地局１０２によってカバーされたエリアのセクタにおいてアクセス端末に対して通信するように設計されることができる。順方向リンク１１８及び１２４にわたる通信において、基地局１０２の送信アンテナは、アクセス端末１１６及び１１２２のための順方向リンク１１８及び１２４の信号対雑音比を改善するためにビームフォーミングを利用することができる。また、基地局１０２は、関連サービスエリアを通じてランダムに散在したアクセス端末１１６及び１２２に対し送信するためにビームフォーミングを利用する一方で、近隣セルにおけるアクセス端末は、すべてのそのアクセス端末に対して単独アンテナを通じて送信する基地局と比較してより少ない干渉を受けやすい可能性がある。
【００３４】
システム１００は、システムパラメータ（単数または複数）を識別するための効率スキームを利用する。基地局１０２は、アクセス端末１１６及び１２２に対して、基地局１０２に関連づけられた１つまたは複数のパラメータを示すために同期信号を利用することができる。基地局１０２に関連づけられた様々なパラメータ（単数または複数）に従って通知を提供するために同期信号を利用することによって、そのようなパラメータ（単数または複数）の知識なしに、アクセス端末１１６及び１２２によるダウンリンク情報のブラインドデコーディングは、緩和されることができる。したがって、アクセス端末１１６及び１２２は、ダウンリンク上で送信された情報のブラインドデコーディングを有効にすることなく(without effectuating)、パラメータ（単数または複数）を識別するために同期信号を使用することができ、そしてそれは、アクセス端末１１６及び１２２に対する、そのようなパラメータ（単数または複数）のより効率的な通知をもたらす。
【００３５】
１つまたは複数のパラメータは、同期信号を介して、アクセス端末１１６及び１２２に対して示されることができる。例えば、同期信号は、基地局１０２がフレーム構造タイプ１（ＦＳ１）あるいはフレーム構造タイプ２（ＦＳ２）を使用するかどうかを、アクセス端末１１６及び１２２に通知することができる。別の例によると、同期信号は、基地局１０２が時分割デュプレクス（ＴＤＤ）システムあるいは周波数分割デュプレクス（ＦＤＤ）システムの一部かどうかを、アクセス端末１１６及び１２２に対して示すことができる。別の例に準じて、同期信号は、基地局１０２がマクロセルあるいはフェムトセルに関連づけられているかどうかを、アクセス端末１１６及び１２２に対して指定する(specify)ことができる。追加的に、あるいは、代替的に、同期信号は、基地局１０２がユニキャストシステムあるいはマルチキャストシステムに関連づけられているかどうかを、アクセス端末１１６に通知することができる。しかしながら、特許請求された主題の事柄は、前述の例示的なパラメータに限定されないということは理解されるべきであり、むしろ、基地局１０２に関するいずれの他のパラメータは、添付された特許請求の範囲内にあるように意図されている。
【００３６】
１つまたは複数のタイプの同期信号は、基地局１０２によって送信されることができる。例えば、プライマリ同期コード（ＰＳＣ）信号／セカンダリ同期コード（ＳＳＣ）信号は、基地局１０２によって転送されることができる。プライマリ同期コード信号は、初期セルのサーチの間のセル検出に使用された同期信号であることができ、セカンダリ同期コード信号は、初期セルのサーチの間のセル識別のために使用された同期信号であることができる。
【００３７】
プライマリ同期信号は、ＰＳＣシーケンスに基づいて生成されることができ、ＰＳＣ信号と呼ばれる。ＰＳＣシーケンスは、一定振幅ゼロ自己相関(constant amplitude zero auto correlation)（ＣＡＺＡＣ）シーケンス、擬似乱数（ＰＮ）シーケンス、等であることが出来る。いくつかのＣＡＺＡＣシーケンスの例は、Ｃｈｕシーケンス、Ｚａｄｏｆｆ−Ｃｈｕシーケンス、Ｆｒａｎｋシーケンス、一般化されたチャープ状(generalized chirp-like)（ＧＣＬ）シーケンス、などを含む。セカンダリ同期信号は、ＳＳＣシーケンスに基づいて生成されることができ、ＳＳＣ信号と呼ばれる。ＳＳＣシーケンスは、最長シーケンス(maximum-length sequence)（Ｍ−シーケンス）、ＰＮシーケンス、バイナリシーケンス、等であることができる。さらに、ＰＳＣ信号は、プライマリ同期信号、ＰＳＣ等と呼ばれることができ、ＳＳＣ信号は、セカンダリ同期信号、ＳＳＣ、等と呼ばれることができる。
【００３８】
システム１００では、基地局１０２に対応するパラメータは、無線フレーム内の異なるタイプの同期信号の相対的な位置、与えられたタイプの同期信号を生成するために利用される選択されたシーケンス、特定タイプの同期信号の含有あるいは排除、等のような、同期信号に対応する１つまたは複数のファクタに基づいて示されることができる。対照的に、従来の技術は、しばしば、パラメータを識別することを試みるためにアクセス端末によって循環プリフィックス（ＣＰｓ）のブラインド検出をレバレッジし、そしてそれは、無効(ineffective)及び／または非効率(inefficient)であることができる。例えば、ＣＰ長さは、ＰＳＣ及びＳＳＣにおいてＦＳ２とＦＳ１の間で異なり得る（例えば、ＦＳ２の場合、ＰＳＣ及びＳＳＣについてそれぞれ８．３３マイクロ秒（ｕｓ）及び１７．７１ｕｓであるのに対し、ＦＳ１の場合、ＰＳＣ及びＳＳＣについてそれぞれ５．２１ｕｓ及び１６．６７ｕｓ）。ＣＰは、アクセス端末によって、ＦＳ１については、通常ＣＰ（例、５．２１ｕｓ）と拡張ＣＰ（例、１６．６７ｕｓ）との間で、盲目的に検出されることができる。さらに、アクセス端末は、通常ＣＰ（例えば、８．３３ｕｓ）と拡張ＣＰ（例えば、１７．７１ｕｓ）とを区別するために、ＦＳ２についてのブラインドＣＰ検出を利用することができる。結果、ＣＰブラインド検出を使用するそのような従来の技術は、ＦＳ１とＦＳ２を区別することが出来ない可能性がある。
【００３９】
さらに、プライマリブロードキャストチャネル（ＰＢＣＨ）位置は、ＦＳ１とＦＳ２の間で異なり得る。共通のアプローチによってしばしば実現されるブラインドＰＢＣＨデコーディングは、ＦＳ２からＦＳ１を区別するために、アクセス端末のＰＢＣＨデコーディング複雑さを倍増にすること(doubling access terminal PBCH decoding complexity)によって（例、１０ｍｓあたりの初期獲得の間の４０ｍフレームバウンダリ検出及びブラインドアンテナ検出を含む２４ブラインドデコーディング(24 blind decoding including blind antenna detection and 40 ms frame boundary detection during initial acquisition per 10 ms)）、実行されることができる。さらに、ＳＳＣ検出は、統一(unification)がレバレッジされないかぎり使用されている４つの異なるＣＰ長さに帰因して２倍にされることができるが、ＦＳ１がＦＤＤ通常ＣＰについてより高いオーバーヘッドを支払わない限り、ガードギャップ（ＧＰ）はＣＰに奪われる(absorbed)ということをＦＳ２が想定できるとすれば、統一はコストが非常に高い(cost-prohibitive)可能性がある。したがって、共通の技術は、非能率的にＦＳ１とＦＳ２を区別することができる。
【００４０】
さらに、従来の技術は、ＦＳ２の場合には、ダウンリンクパイロットタイムスロット（ＤｗＰＴＳ）とアップリンクパイロットタイムスロット（ＵｐＰＴＳ）との間で十分なガード時間を提供することができない。対照的に、システム１００は、アップリンク及びダウンリンクのスイッチングのためのより大きなガード時間を提供することができる。
【００４１】
図２−３を参照すると、無線フレーム構造の一例が図示されている。２つの無線フレーム構造が、ｅ−ＵＴＲＡ仕様書において記載されており、すなわち、フレーム構造タイプ１（ＦＳ１）及びフレーム構造タイプ２（ＦＳ２）である。ＦＳ１は、ＦＤＤ及びＴＤＤシステムの両方に適用可能であることができるが、ＦＳ２は、ＴＤＤシステムに適用可能であることができる。図２−３は、説明の目的のために提供されており、開示された主題の事柄は、これらの例（例、いずれの持続時間を備えた無線フレーム、サブフレームの数、スロットの数、及び同様なものが利用されることができる…）に限定されていないということは理解されるべきである。
【００４２】
図２に戻ると、フレーム構造タイプ１（ＦＳ１）の無線フレーム２００の例が図示されている。ＦＳ１無線フレーム２００は、ＦＤＤまたはＴＤＤに関連して利用されることができる。さらに、ＦＳ１無線フレーム２００は、２０スロット（例、スロット０、…１９）を含む１０ｍｓの無線フレームであることができ、スロットのそれぞれは、０．５ｍｓの持続時間を有する。さらに、ＦＳ１無線フレーム２００からの２つの隣接したスロット（例、スロット０及び１、スロット２及び３、…）は、１ｍｓの持続時間を備えた１つのサブフレームを構築することができ、したがって、ＦＳ１無線フレーム２００は、１０のサブフレームを含むことができる。
【００４３】
図３を参照すると、フレーム構造タイプ２（ＦＳ２）無線フレーム３００が図示されている。ＦＳ２無線フレーム３００は、ＴＤＤに関連して、利用されることができる。ＦＳ２無線フレーム３００は、１０サブフレームを含む１０ｍｓ無線フレームであることができる。さらに、ＦＳ２無線フレーム３００は、２つの実質的に同じ１／２フレーム（例、１／２フレーム３０２、１／２フレーム３０４）を含むことができ、それらのそれぞれは、５ｍｓの持続時間を有することができる。１／２フレーム３０２−３０４のそれぞれは、８スロットを含むことができ、それぞれは、０．５ｍｓの持続時間を有し、そして、それぞれが構成可能な個々の長さを有し、合計長さが１ｍｓである、３つのフィールド（例、ＤｗＰＴＳ、ＧＰ及びＵｐＰＴＳ）を含むことができる。サブフレームは、ＤｗＰＴＳ、ＧＰ及びＵｐＰＴＳを含んでいるサブフレーム１及び６を除いて、２つの隣接スロットを含む。
【００４４】
図４を参照すると、無線通信環境において基地局関連パラメータ（単数または複数）を示すために同期信号を使用するシステム４００が図示される。システム４００は、情報、信号、データ、命令、コマンド、ビット、シンボル、及び同様なものを送信及び／または受信することができる基地局４０２を含む。基地局４０２は、順方向リンク及び／または逆方向リンクを介して、アクセス端末４０４と通信することができる。アクセス端末４０４は、情報、信号、データ、命令、コマンド、ビット、シンボル、及び同様なものを送信及び／または受信することができる。さらに、図示されていないが、基地局４０２と同様の任意の数の基地局は、システム４００に含まれることができ、及び／または、アクセス端末４０４と同様の任意の数のアクセス端末は、システム４００に含まれることができる、ということは予想される。
【００４５】
基地局４０２は、同期信号を介してアクセス端末４０４に対して散布される予定である１つまたは複数のパラメータ４０６に関連づけられることができる。さらに、基地局４０２は、基地局４０２に対応する１つまたは複数のパラメータ（単数または複数）４０６の関数として、ダウンリンク送信のための同期信号を生み出す(yields)同期信号生成器４０８を含むことができる。例えば、同期信号生成器４０８は、選択されたシーケンスに基づいて送信のために同期信号（単数または複数）をもたらし(yield)、無線フレーム内で同期信号（単数または複数）のタイプをスケジュールし(schedule)、与えられたタイプの同期信号の含有をイネーブルしあるいは抑制し(enable or inhibit)、利用されるべき擬似ランダムシーケンス、それらの組み合わせ、等をアクセス端末４０４に示されている基地局４０２のパラメータ（単数または複数）４０６に基づいて選択することができる。さらに、同期信号生成器４０８によって提供される同期信号は、アクセス端末４０４に対して送信されることができる。
【００４６】
アクセス端末４０４は、基地局４０２から同期信号を受信することができ、受信された同期信号に基づいて、基地局４０２に関連づけられたパラメータ（単数または複数）を決定することができる。アクセス端末４０４は、同期信号評価器４１０及びパラメータ識別子４１２をさらに含むことができる。同期信号評価器４１０は、受信された同期信号を分析することができる。例として、同期信号評価器４１０は、与えられたタイプの受信された同期信号に関係するシーケンスの識別情報、無線フレーム内の異なるタイプの同期信号の相対的な位置、与えられたタイプの同期信号の含有あるいは除外、使用される擬似ランダムシーケンス、それらの組み合わせ、等を決定することができる。さらに、分析に基づいて、パラメータ識別子４１２は、基地局４０２に関連づけられたパラメータ（単数または複数）を認識することができる。パラメータ識別子４１２は、どのように同期信号生成器４０８が同期信号を選択し、スケジュールする等についてのアプリオリ知識に基づいて基地局４０２に対応するパラメータ（単数または複数）を解読することが同期信号評価器４１０によって実現される、受信された同期信号の分析をレバレッジすることができる。例えば、同期信号評価器４１０によって認識される無線フレームにおける異なるタイプの同期信号の相対的な位置は、フレーム構造タイプ１あるいはフレーム構造タイプ２が基地局４０２によって利用されるかどうかを決定するためにパラメータ識別子４１２によって利用されることができるが、特許請求された主題がそのような例に限定されていないということは理解されるべきである。
【００４７】
基地局４０２の同期信号生成器４０８は、同期信号を生成することを利用するために同期コードシーケンスを決定できる選択器４１４を含むことができる。異なるＰＳＣシーケンスは、パラメータ４０６の関数として、選択器４１４によって選ばれることができ、ＰＳＣｓは、その選択されたＰＳＣシーケンスに基づいて、ダウンリンク上の送信のために同期信号生成器４０８によって、もたらされることができる。したがって、同期信号評価器４１０は、どのＰＳＣシーケンスが、選択器４１４によって選ばれ、受信された同期信号（例、ＰＳＣｓ、…）のための同期信号生成器４０８によって使用されるか、を検出することができ、パラメータ識別子４１２は、その検出されたＰＳＣシーケンスに対応するパラメータを認識することができる。
【００４８】
例えば、異なるＰＳＣシーケンスは、ＦＳ１とＦＳ２を区別するために、同期信号生成器４０８による使用のために、選択器４１４によって選択されることができる。従来のシステムは、しばしば３つのＰＳＣシーケンス（例、これらの３つのＰＳＣシーケンスのうちの２つは互いの複素共役であることができる、…）を利用する。対照的に、システム４００は、１つの追加のＰＳＣシーケンス（例えば第４のＰＳＣシーケンス、…）を追加することができる。第４のＰＳＣシーケンスは、他の２つのＰＳＣシーケンスのうち複素共役ではない、従来システムの３つの共通利用されたＰＳＣシーケンスのうちのＰＳＣシーケンスの複素共役として、周波数ドメインにおいて定義づけされることができる。さらに、選択器４１４は、基地局４０２がＦＳ１を利用する場合には、３つの共通利用されたＰＳＣシーケンスを利用すること、基地局４０２がＦＳ２を利用する場合には、追加及び第４のシーケンスを利用すること、を選択することができる。したがって、１つのＰＳＣシーケンスはＦＳ２を示す(indicate)ために使用されることができるが、３つのＰＳＣシーケンスはＦＳ１を示す(signify)ために利用されることができる。したがって、同期信号評価器４１０は、これらの４つのＰＳＣシーケンスを検出することを試みることができる。３つの共通利用されるＰＳＣシーケンスのうちの１つが同期信号評価器４１０によって検出される場合には、パラメータ識別子４１２は、基地局４０２がＦＳ１を利用するということを認識することができる。あるいは、第４のＰＳＣシーケンスが同期信号評価器４１０によって検出される場合には、パラメータ識別子４１２は、基地局４０２がＦＳ２を利用するということを決定することができる。別の例にしたがって、第４のＰＳＣシーケンスは、基地局４０２によるＦＳ１の使用を識別するためにレバレッジされることができるが、他の３つの共通利用されたＰＳＣシーケンスは、基地局４０２によるＦＳ２の使用を識別するために利用されることができる、ということが予期される。
【００４９】
さらに次の例に準じて、異なるＰＳＣシーケンスは、基地局４０２がユニキャストシステムあるいはマルチキャストシステムに関連づけられているということを示すために、選択器４１４によって利用されることができる。この例に従って、選択器４１４は、他のＦＤＤ／ＴＤＤシステム（例、ユニキャストキャリア、…）から、単一周波数ネットワークキャリア上のマルチメディアブロードキャスト(Multimedia Broadcast over a Single Frequency Network)（ＭＢＳＦＮ）を区別するために、ＰＳＣｓを生み出すための、同期信号生成器４０８によって利用される予定である特定のＰＳＣシーケンスを選ぶことができる。ＭＢＳＦＮは、与えられた持続時間の間マルチプルセルから送信される時間同期化された共通波形を使用することができ、したがって、マルチプル基地局（例、基地局４０２及び任意の数の異なる基地局（単数または複数）（図示されず））は、アクセス端末４０４に対して同じ情報を送信することができる。さらに、マルチキャストシステムは、ＭＢＳＦＮキャリアを使用することができ、そしてそれは専用キャリアであることができる。したがって、選択器４１４は、基地局４０２がＭＢＳＦＮキャリアを使用するかどうかをアクセス端末４０４に対し識別することを可能にすることができる。上記の例と同様に、４つのＰＳＣシーケンスは、システム４００によってレバレッジされることができる（例、３つの共通利用されたＰＳＣシーケンス及び追加の第４のシーケンス）。再び、第４のＰＳＣシーケンスは、他の２つのＰＳＣシーケンスの複素共役ではない、従来システムの３つの共通利用されたＰＳＣシーケンスのうちのＰＳＣシーケンスの複素共役として、周波数ドメインにおいて定義づけされることができる。さらに、選択器４１４は、基地局４０２が非ＭＢＳＦＮキャリア（例、ユニキャストキャリア）を利用する場合には３つの共通利用されたＰＳＣシーケンスを利用すること、そして、基地局４０２がＭＢＳＦＮキャリアを利用する場合には追加の第４のＰＳＣシーケンスを利用すること、を選択することができる。したがって、１つのＰＳＣシーケンスは、ＭＢＳＦＮキャリアの使用を示すために使用されることができるが、３つのＰＳＣシーケンスは、非ＭＢＳＦＮキャリアの使用を示すために利用されることができる。したがって、同期信号評価器４１０は、これらの４つのＰＳＣシーケンスを検出することを試みることができる。３つの共通使用されるＰＳＣシーケンスのうちの１つが同期信号評価器４１０によって検出される場合には、パラメータ識別子４１２は、基地局４０２が非ＭＢＳＦＮキャリアを利用するということを認識することができる。あるいは、第４のＰＳＣシーケンスが同期信号評価器４１０によって検出される場合には、パラメータ識別子４１２は、基地局４０２がＭＢＳＦＮキャリアを利用するということを決定することができる。別の例によると、第４のＰＳＣシーケンスは基地局４０２によって非ＭＢＳＦＮキャリアの使用を識別するためにレバレッジされることができるが、他の３つの共通利用されたＰＳＣシーケンスは基地局４０２によってＭＢＳＦＮキャリアの使用を識別するために利用されることができる、ということが予期される。同様に、異なるＰＳＣシーケンスは、フェムトセル対名目セル（例、マクロセル、…）、及び／または、ＴＤＤシステム対ＦＤＤシステム、に関連づけられている基地局４０２の間で区別するために利用されることができる、ということもまた予期される。
【００５０】
同期信号生成器４０８は、追加的あるいは代替的に、基地局４０２に対応するパラメータ（単数または複数）４０６の関数として、各無線フレーム内で異なるタイプの同期化信号をスケジュールする、スケジューラ４１６を含むことができる。したがって、スケジューラ４１６は、無線フレーム内でＰＳＣ及びＳＳＣについての相対的な位置を決定し割り当てることができる。さらに、同期信号評価器４１０は、ＰＳＣ及びＳＳＣの相対的な位置を検出することができ、それに基づいて、パラメータ識別子４１２は、基地局４０２に関連づけられた１つまたは複数のパラメータを認識することができる。例えば、ＰＳＣ及びＳＳＣの相対的な位置は、ＦＳ１対ＦＳ２、ＴＤＤ対ＦＤＤ、ユニキャストオペレーション対マルチキャストオペレーション、及び／またはマクロセル対フェムトセル、に関連づけられている基地局４０２の間で区別するために使用されることができる。さらに、スケジューラ４１６は、無線フレーム内でＰＳＣ及びＳＳＣの位置を制御することができる。ＰＳＣ及びＳＳＣの位置は、システム情報の異なるタイプ／部分を表わすために使用されることができ、そしてそれは、ＴＤＤあるいはＦＤＤタイプのシステム、異なるサイズあるいは目的を備えたセル、等に関連づけられることができる。
【００５１】
図５−６を参照すると、１つまたは複数のパラメータに関連した情報を広めるために同期信号の相対的な位置を使用する無線フレーム構造５００及び６００が図示されている。各無線フレーム（例、無線フレームｔ５０２、無線フレームｔ６０２,．．．）は、複数（例、Ｓ、なお、Ｓは実質的にいずれの整数であることができる,．．．）のスロット（例、あるいは、１サブセットのＳスロットは、フレーム構造タイプ２については、ここにおいて説明されているようなフィールドによって置き換えられることができる、…）に分割されることができ、各スロットは、複数（例、Ｔ、なおＴは実質的にいずれの整数であることができる、．．．）のシンボル期間を含むことができる。例えば、各無線フレーム（例、無線フレーム５０２、無線フレーム６０２、．．．）は、１０ｍｓの持続時間を有することができ、各スロットは、０．５ｍｓの持続時間を有することができる。さらに、サブフレームは、２つの隣接スロット（例、スロット０とスロット１、…）を含むことができる。さらに、各スロットは、循環プリフィックス長さに依存して、６あるいは７シンボル期間をカバーすることができる。図示されていないが、フレーム構造タイプ１の無線フレームは、スロット０及びスロット１を備えているサブフレームに隣接しているスロット２及びスロット３を備えているサブフレーム（スロットＳ／２及びスロットＳ／２＋１を備えているサブフレームに隣接しているスロットＳ／２＋２及びスロットＳ／２＋３を備えているサブフレームに加えて）を含むことができるが、フレーム構造タイプ２の無線フレームは、スロット０及びスロット１を備えているサブフレームに隣接しているフィールド（例、ＤｗＰＴＳ、ＧＰ、及びＵｐＰＴＳ）を備えているサブフレーム（スロットＳ／２及びスロットＳ／２＋１を備えているサブフレームに隣接しているそのようなフィールドを備えている別のサブフレームに加えて）を含むことができるということが理解されるべきである。また、無線フレームは、任意の異なる方法で分割されることができる、ということは予期される。
【００５２】
図示されるように、同期信号は、スロット０  ５０４、６０４、及び、スロットＳ／２  ５０６、６０６（例、スロット１０、…）に含まれたＯＦＤＭシンボルにマッピングされることができる。しかしながら、ＰＳＣ及びＳＳＣの相対的な配置は、無線フレーム構造５００と６００との間で異なりうる（例、図４のスケジューラ４１６によって制御されているように、…）。図５で示されているように、ＰＳＣは、スロット０  ５０４及びスロットＳ／２  ５０６（例、１番目及び１１番目のスロット）における最後のＯＦＤＭシンボル（例、シンボル５０８、シンボル５１０、…）にマッピングされているが、ＳＳＣは、最後のＯＦＤＭシンボルの前の隣接ＯＦＤＭシンボル（例、シンボル５１２、シンボル５１４、…）にマッピングされる。さらに、図６で示されているように、ＳＳＣは、スロット０  ６０４及びスロットＳ／２  ６０６（例、第１及び第１１のスロット、…）において、最後のＯＦＤＭシンボル（例、シンボル６０８、シンボル６１０、…）にマッピングされるが、ＰＳＣは、最後のＯＦＤＭシンボルの前の隣接ＯＦＤＭシンボル（例、シンボル６１２、シンボル６１４、…）にマッピングされる。
【００５３】
ＰＳＣ及びＳＳＣの相対的な位置の差は、１つまたは複数のパラメータの関数であることができる。例えば、プリアンブル及びミドルアンブルにおけるＰＳＣ及びＳＳＣの相対的な位置は、基地局がＦＳ１またはＦＳ２を備えた無線フレームを送信するかどうかに依存することができる。この例に従うと、ＦＳ１では、ＰＳＣは、第１のスロット及び第１１のスロットにおいて最後のＯＦＤＭシンボルにマッピングされることができ、ＳＳＣは、図５で示されているようにＰＳＣの隣であることができる。さらに、ＦＳ２では、ＳＳＣは最後のＯＦＤＭシンボルにマッピングされることができ、ＰＳＣは、図６で示されているようにＳＳＣの隣であることができる。さらに、受信アクセス端末は、そのようなパラメータ（単数または複数）間で区別するために、ＰＳＣ及び／又はＳＳＣを検出することができる。したがって、上記の例に準じて、受信アクセス端末は、ＰＳＣ及びＳＳＣの相対的な位置を決定することができ、そしてそれは、そのあとで、送信基地局がＦＳ１あるいはＦＳ２を利用するかどうかを識別するためにレバレッジされることができる。しかしながら、特許請求された主題は、前述の例に限定されていないということが理解されるべきであり、むしろ、フレーム構造タイプに加えてあるいはフレーム構造タイプの代わりにいずれの異なるパラメータ（単数または複数）は、ＰＳＣ及びＳＳＣの相対的な位置を介して示されることができる。これらの基地局の特定のパラメータの例は、限定されていないが、基地局がマルチキャストオペレーションかユニキャストオペレーションに関連づけられているかどうか、ＴＤＤかＦＤＤを利用するかどうか、及び／または、フェムトセルかマクロセルに関連づけられているかどうか、であることができる。例えば、ＰＳＣ及びＳＳＣは異なる位置（例、プリアンブル、ミドルアンブル、Ｎ番目サブフレーム、…）で位置づけられることができるので、アクセス端末は、そのような配置に基づいて、異なるセルタイプ（例、名目／マクロセル対フェムトセル、なお、フェムトセルは、他のマクロセルよりも低い電力で送信することができる、…）を区別することができる。
【００５４】
図５−６は、スロット０  ５０４、６０４及びスロットＳ／２  ５０６、６０６において最後の２つの隣接ＯＦＤＭシンボルにマッピングされているＰＳＣ及びＳＳＣを図示しているが、特許請求された主題はそれほど限定されていないということは理解されるべきである。例えば、ＰＳＣ及び／またはＳＳＣは、スロット０ ５０４、６０４、スロットＳ／２ ５０６、６０６に加えて、あるいは、代わりに、任意のスロットにおいて送信されることができる。さらに、ＰＳＣ及びＳＳＣは、スロット内の任意のＯＦＤＭシンボルにマッピングされることができる。別の例によると、ＰＳＣとＳＳＣとの間のシンボル分離（例、ＰＳＣとＳＳＣは隣接しており、１つ、２つ、等のシンボルによって分けられる）は、１つまたは複数のパラメータの関数であることができる。さらなる例によると、ＰＳＣは送信される必要はなく、ＰＳＣの含有あるいは排除は１つまたは複数のパラメータの関数であることができる。
【００５５】
図４を再び参照すると、スケジューラ４１６はまた、例えば、１つまたは複数のパラメータの関数として、送信のためにもたらされた無線フレームからＰＳＣを除外あるいは含有することができる。この例に従うと、ＰＳＣは、ＦＳ２オペレーションモード（例、ＴＤＤタイプシステムにおける、．．．）において、削除されることができる。さらに、ＦＳ２におけるＰＳＣについての位置は、アップリンク及びダウンリンクのスイッチングのための追加ガード時間に使用されることができる。したがって、１つのシーケンスは、同期化（例、ＳＳＣは予約されることができるが、ＦＳ１とは異なるシーケンス設計を有する、…）のために定義づけされることができる。
【００５６】
さらなる例として、同期信号生成器４０８は、１つまたは複数のパラメータの関数として、異なる擬似ランダムシーケンス（ＰＲＳｓ）を使用することができる。例えば、ＦＳ１あるいはＦＳ２は基地局４０２によって利用されるかどうかに依存して、異なるＰＲＳｓは同じセル識別子（ＩＤ）にマッピングされることができる。同じＰＲＳｓは、ＦＳ１とＦＳ２の間で再使用されることができるが、セルＩＤへの異なるマッピングを備える。追加的に、あるいは、代替的に、ＰＲＳｓは、ＦＳ１あるいはＦＳ２が利用されるかどうかに依存して、異なるトーン位置にマッピングされることができる。
【００５７】
一例にしたがって、周波数ドメインのＰＲＳ位置は、セルＩＤにリンクづけされることができる。異なるセルは、ＰＲＳについて異なる位置を有することができる。したがって、異なるパラメータ間を識別するために、同じシーケンスが使用されることができるが、周波数ドメインの異なる位置を備える。アクセス端末は、関連づけられたパラメータを決定することができるように、ＰＲＳを検出することができる。例によると、ＰＲＳの位置は、確認目的に使用されることができる。この例にしたがって、パラメータは、ＰＳＣ及びＳＳＣの相対的な位置、ＰＳＣｓを生成するために使用される予定で選択されたＰＳＣシーケンス、あるいは、ＰＳＣの含有／排除、に基づいて示されることができ、そのようなパラメータも確認(validation)のためにＰＲＳ位置を介してアクセス端末に通知されることができるが、特許請求された主題は、それほど限定されない。
【００５８】
別の例によれば、異なるシステムは、ＳＳＣシーケンスの上で異なるスクランブリングコードを使用することができるので、アクセス端末４０４はそのようなシステムを区別するためにこの情報を使用することができる。例えば、この情報は、ＴＤＤシステム対ＦＤＤシステム、名目（例、マクロ）セル対フェムトセル、ユニキャストシステム対マルチキャストシステム（例えばＭＢＳＦＮ、．．．）、ＦＳ１対ＦＳ２等を区別するために使用されることができる。したがって、特定のスクランブリングコードは、パラメータの関数として選択されることができる。
【００５９】
別の例示に準じて、ｅ−ＵＴＲＡＮでは、３つのＰＳＣベースのスクランブリングシーケンス（ＳＣ）は、ＳＳＣシーケンスをスクランブルするように定義づけされることができ、各スクランブリングシーケンスは、対応ＰＳＣシーケンスのインデクスによって決定されることができる。Ｎ個のさらなる異なるスクランブリングシーケンスは、ＳＳＣシーケンスをスクランブルするために使用されることができる。結果、（ＳＣ１、ＳＣ２、ＳＣ３）は、ＦＤＤシステムに使用されることができるが、（ＳＣ４、ＳＣ５、ＳＣ６）は、ＴＤＤシステムに使用されることができる。同様に（ＳＣ７、ＳＣ８、…ＳＣＮ）は、フェムトセル等に使用されることができる。したがって、複数の可能セットのうちの１セットのスクランブリングコードは、パラメータの関数として選択されることができる。
【００６０】
図７−９を参照すると、無線通信環境において効率的にパラメータを示すことに関する方法が図示されている。説明を簡潔するために、一連の動作として、方法が示され説明されているけれども、いくつかの動作は１つまたは複数の実施形態にしたがってここにおいて説明され示されるものから他の動作と異なる順序で及び／または同時に起こることができるので、方法は動作の順序によって限定されるものではないということが理解され、そして認識されるべきである。例えば、当業者は、方法は、例えば状態図におけるように、一連の相互関連の状態あるいはイベントとして代替的に表わされることができるであろうということを理解し、認識するであろう。さらに、かならずしもすべての図示された動作は、１つまたは複数の実施形態にしたがって、方法をインプリメントするように要求されることができるとは限らない。
【００６１】
図７を参照すると、無線通信環境における基地局に関する１つまたは複数のパラメータを識別することを容易にする方法７００が図示されている。７０２で、プライマリ同期コード（ＰＳＣ）及びセカンダリ同期コード（ＳＳＣ）が生成されることができる。例えば、ＰＳＣは、ＰＳＣシーケンスに基づいて、生成することができ、ＳＳＣは、ＳＳＣシーケンスに基づいて生成されることができる。７０４で、ＰＳＣ及びＳＳＣは、基地局に対応するパラメータの関数として、無線フレームにおいて相対的な位置で、スケジュールされることができる。例によると、パラメータは、基地局がＴＤＤシステムあるいはＦＤＤシステムの一部であるかどうか、であることができる。別の例では、パラメータは、無線フレームがフレーム構造タイプ１（ＦＳ１）あるいはフレーム構造タイプ２（ＦＳ２）を利用するかどうか、であることができる。さらに、パラメータは、基地局がマクロセルあるいはフェムトセルに関連づけられているかどうか、であることができる。さらなる例に準じて、パラメータは、基地局はユニキャストシステムあるいはマルチキャストシステムに関連づけられているかどうか、であることができる。ＰＳＣ及びＳＳＣについてのいずれの相対的な位置もパラメータ間で区別するために利用されることができる。例えば、ＰＳＣあるいはＳＳＣが無線フレームのうちの１つまたは複数のスロットにおいて、初期ＯＦＤＭシンボルにマッピングされるかどうかは、パラメータの関数であることができる。別の例によれば、ＰＳＣ及びＳＳＣ間のシンボル分離は、パラメータの関数であることができる。７０６で、無線フレームは、ＰＳＣ及びＳＳＣの相対的な位置に基づいて、パラメータを示すために、ダウンリンク上で送信されることができる。
【００６２】
例として、ＦＳ１が利用されるとき、ＰＳＣは、無線フレームの１つまたは複数のスロットにおいて最後のＯＦＤＭシンボルにマッピングされることができるが、ＳＳＣは、最後のＯＦＤＭシンボルの直前の隣接ＯＦＤＭシンボルにマッピングされることができる。この例にしたがって、ＦＳ２が利用されるとき、ＳＳＣは、無線フレームの１つまたは複数のスロットにおいて最後のＯＦＤＭシンボルにマッピングされることができるが、ＰＳＣは、最後のＯＦＤＭシンボルの直前の隣接ＯＦＤＭシンボルにマッピングされることができる。送信された無線フレームに基づいて、アクセス端末は、ＦＳ１あるいはＦＳ２が利用されるかどうかを決定するために、ＰＳＣ及びＳＳＣの相対的な位置を検出することができる。しかしながら、特許請求された主題の事柄は、前述の例に限定されていないということは理解されるべきである。
【００６３】
別の例(下記に説明されている）によると、無線フレームへの含有のためにＰＳＣを生成するために利用されたＰＳＣシーケンスは、パラメータの関数として選択されることができ、そしてそれは、相対的な位置を介して示されたパラメータと同じあるいは異なることができる。さらなる例として、異なる擬似ランダムシーケンス（ＰＲＳｓ）は、パラメータ（例、相対的な位置を介して示されているのと同じあるいは異なるパラメータ．．．）の関数として、共通セルＩＤにマッピングされることができる。追加的に、あるいは、代替的に、ＰＲＳｓは、パラメータ（相対的な位置を介して示されているのと同じあるいは異なるパラメータ、…）に基づいて、異なるトーン位置にマッピングされることができる。例えば、ＰＲＳマッピングは、ＰＳＣ及びＳＳＣの相対的な位置によって示されたパラメータについての確認メカニズムとしてレバレッジされることができるが、特許請求された主題は、それほど限定されない。別の例示によれば、ＦＳ２を利用するとき、ＰＳＣは無線フレームから削除されることができるが、特許請求された主題は、それほど限定されない。さらなる例として、１セットの可能スクランブリングコードのうちの特定のスクランブリングコードは、パラメータの関数として、ＳＳＣを生み出すＳＳＣシーケンスの上で使用されるために、選択されることができる。追加的に、あるいは、代替的に、特定のスクランブリングコードがＳＳＣを生成するためにＳＳＣシーケンスの上で使用されるために選ばれることができる１セットの可能なスクランブリングコードは、パラメータの関数として選択されることができる。
【００６４】
図８に戻ると、無線通信環境における基地局に対応する１つまたは複数のパラメータを示すことを容易にする方法８００が図示されている。８０２で、プライマリ同期コード（ＰＳＣ）シーケンスは、基地局のパラメータに基づいて、選択されることができる。例えば、４つの可能ＰＳＣシーケンスが利用されることができ、そしてそれは、３つの共通利用されるＰＳＣシーケンスと１つの追加ＰＳＣシーケンスを含むことができる。共通利用されるＰＳＣシーケンスのうちの２つは、互いの複素共役であることができるが、第３の共通利用されるＰＳＣシーケンスと第４の追加ＰＳＣシーケンスは、互いの複素共役であることができる。さらに、第３の共通利用されるＰＳＣシーケンスあるいは第４の追加ＰＳＣシーケンスのいずれか１つは、パラメータに基づいた使用に選択されることができる。８０４で、プライマリ同期コード（ＰＳＣ）は、選択されたＰＳＣシーケンスに基づいて生成されることができる。８０６で、生成されたＰＳＣを含む無線フレームは、選択されたＰＳＣシーケンスに基づいてパラメータを示すためにダウンリンク上で送信されることができる。例えば、無線フレームを受信するアクセス端末は、選択されたＰＳＣシーケンスを検出し、それに基づいてパラメータを決定することができる。
【００６５】
一例にしたがって、ＰＳＣシーケンスの選択は、ＦＳ１とＦＳ２を区別するために利用されることができる。この例に従って、３つの共通利用されるＰＳＣシーケンスのうちの１つは、ＦＳ１が使用されるときに、選択されることができるが、第４の追加ＰＳＣシーケンスは、ＦＳ２が利用されるとき、選択されることができる（逆もまた然りである）。別の例として、ＰＳＣシーケンスの選択は、ユニキャストシステム及びマルチキャストシステムに関連づけられた基地局間で区別するために使用されることができる。したがって、３つの共通利用されるＰＳＣシーケンスのうちの１つは、ユニキャストキャリアが使用されるとき、選択されることができるが、第４の追加ＰＳＣシーケンスは、ＭＢＳＦＮキャリアが利用されるとき、選ばれることができる（逆もまた然りである）。さらに、ＰＳＣ及びＳＳＣの相対的な位置、ＰＲＳマッピング、スクランブリングコードの選択、スクランブリングコードセットの選択等は、同じパラメータ（例、ＰＳＣシーケンス選択を介して示される、…）あるいは異なるパラメータ（単数または複数）に関する通知を提供するために、ＰＳＣシーケンスの選択と共にレバレッジされることができる。
【００６６】
図９を参照すると、無線通信環境における基地局において対応する少なくとも１つのパラメータを解読することを容易にする方法９００を図示する。９０２で、無線フレームは、基地局から受信されることができる。９０４で、無線フレームは、異なるタイプの同期信号の相対的な位置、特定タイプの同期信号を生成するために利用されたシーケンス、あるいは、無線フレームが２つのタイプの同期信号を含むかどうか、のうちの少なくとも１つを決定するために、分析されることができる。例えば、ＳＳＣに関するＰＳＣの相対的な位置が識別されることができる。別の例によれば、ＰＳＣｓを生成するために利用されたＰＳＣシーケンスが決定されることができる。追加的に、あるいは、代替的に、ＰＳＣは、含まれているもの、あるいは、受信無線フレームから除外されているもの、として識別されることができる。さらなる例として、ＳＳＣをスクランブルするために、基地局によって利用されたスクランブリングコードは、識別されることができる。９０６で、基地局に関連づけられた少なくとも１つのパラメータは、相対的な位置、シーケンス、あるいは、無線フレームが２つのタイプの同期信号を含むかどうか、に基づいて認識されることができる。さらに、少なくとも１つのパラメータは、利用されたＰＲＳシーケンスの評価に基づいて、確認されることができる。
【００６７】
ここにおいて説明される１つまたは複数の態様にしたがって、効率的に通知すること、及び／または、無線通信環境において基地局に関連づけられたパラメータ（単数または複数）を識別することに関して推論がなされることができる、ということは理解される。ここにおいて使用されているように、用語「推論する(infer)」あるいは「推論(inference)」は、イベント及び／またはデータを介してキャプチャされる(captured)とき１セットの観察(a set of observations)からの、システム、環境、及び／または、ユーザ、の状態について、理由付けする、あるいは、推論するプロセスを一般に指す。推論は、例えば、特定の文脈(context)あるいは動作(action)を識別するために利用されることができ、あるいは、状態に関する確率分布を生成することができる。推論は、蓋然性(probabilistic)であることができ、すなわち、データ及びイベント(events)の考察に基づいた、対象の状態に関する確率分布の計算であることができる。推論はまた、１セットのイベント及び／またはデータからより高いレベルのイベントを構成するために利用される技術を指すことができる。そのような推論は、イベントが時間近似性(close temporal proximity)において相関されていようがいまいが、また、イベントとデータが１つまたはいくつかのイベント及びデータソースから生じようが、１セットの観察されたイベント及び／または保存されたイベントのデータからの、新しいイベントあるいは動作の構築を結果としてもたらす。
【００６８】
一例によれば、上記で提示された１つまたは複数の方法は、受信された同期信号（単数または複数）の評価に基づいて基地局に関連づけられた１つまたは複数のパラメータの識別情報を決定することに関する推論を行なうことを含むことができる。さらなる例として、推論は、ダウンリンクを介して関連づけられた１つまたは複数のパラメータ（単数または複数）を通信するために基地局によって利用される通知スキームを決定することに関して推論が行なわれることができる。前述の例は本質的には説明であって、ここにおいて説明される様々な実施形態及び／または方法と共に、そのような推論が行なわれる方法、あるいは、行なわれることができる推論の数、を制限するようには意図されていないということは理解される。
【００６９】
図１０は、無線通信システムにおいて効率的な識別スキームを利用して基地局に関連づけられたパラメータ（単数または複数）を認識するアクセス端末１０００の図である。アクセス端末１０００は、例えば受信アンテナ（図示されず）から信号を受信する受信機１００２を備え、受信された信号上で典型的な動作を実行し（例、フィルタにかけ、増幅し、ダウンコンバートし、等）、その条件づけられた信号を、サンプルを得るために、デジタル化する。受信機１００２は、例えばＭＭＳＥ受信機であることができ、受信されたシンボルを復調し、それらをチャネル推定のためにプロセッサ１００６に対して提供することができるデモジュレータ１００４を備えることができる。プロセッサ１００６は、受信機１００２によって受信された情報を分析すること、及び／または、送信機１０１６による送信のために情報を生成すること、の専用プロセッサ、アクセス端末１０００の１つまたは複数のコンポーネントを制御するプロセッサ、及び／または、受信機１００２によって受信された情報を分析もし、送信機１０１６による送信のための情報を生成もし、アクセス端末１０００のうち１つまたは複数のコンポーネントの制御もするプロセッサであることができる。
【００７０】
アクセス端末１０００は、プロセッサ１００６に操作的に結合されており、送信される予定のデータ、受信されたデータ、及びここにおいて記載された様々な動作及び機能を実行することに関するいずれの他の適切な情報、を保存することができる、メモリ１００８をさらに備えることができる。メモリ１００８は、例えば、受信された無線フレームに含まれた同期信号（単数または複数）を分析すること、及び／または、そのような分析に基づいてパラメータ（単数または複数）を決定すること、に関連づけられたプロトコル及び／またはアルゴリズムを保存することができる。
【００７１】
ここにおいて説明されたデータストア（例：メモリ１００８）は、揮発性メモリか不揮発性メモリかのいずれかであることができ、あるいは揮発性メモリと不揮発性メモリの両方を含むことができる、ということが理解されるであろう。例として、しかし限定されないが、不揮発性メモリは、リードオンリメモリ（ＲＯＭ）、プログラマブルＲＯＭ（ＰＲＯＭ）、電気的プログラマブルＲＯＭ（ＥＰＲＯＭ）、電気的消去可能ＲＯＭ（ＥＥＰＲＯＭ）、あるいはフラッシュメモリを含むことが出来る。揮発性メモリは、外部キャッシュメモリとして作用するランダムアクセスメモリ（ＲＡＭ）を含むことが出来る。例として、しかし限定されないが、ＲＡＭは、シンクロナスＲＡＭ（ＳＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ ＳＤＲＡＭ）、拡張ＳＤＲＡＭ（ＥＳＤＲＡＭ）、シンクリンクＤＲＡＭ(ＳＬＤＲＡＭ: Synchlink DRAM)、及びダイレクトラムバスＲＡＭ(ＤＲＲＡＭ)、のような多くの形態で入手可能である。主題のシステム及び方法のメモリ１００８は、限定されることなく、これら及び任意の他の適切なタイプのメモリを備えるように意図されている。
【００７２】
受信機１００２は、同期信号評価器１０１０、及び／または、パラメータ識別子１０１２にさらに動作的に結合されている。同期信号評価器１０１０は、図４の同期信号評価器４１０と実質的には同様であることができる。さらに、パラメータ識別子１０１２は、図４のパラメータ識別子４１２と実質的に同様であることができる。同期信号評価器１０１０は、受信された無線フレームに含まれた同期信号（単数または複数）を評価することができる。例えば、同期信号評価器１０１０は、異なるタイプの同期信号の相対的な位置（例、ＰＳＣ対ＳＳＣの相対的な位置、…）を決定することができる。別の例によると、同期信号評価器１０１０は、特定タイプの同期信号（例えばＰＳＣ、…）を生成するために利用されたシーケンス（例、ＰＳＣシーケンス、…）を認識することができる。別の例に準じて、同期信号評価器１０１０は、無線フレームが１つまたは２つのタイプの同期信号を含むかどうか（例、無線フレームがＰＳＣｓを含む、あるいは欠く）を分析することができる。さらに、同期信号評価器１０１０は、無線フレームに関連づけられたＰＲＳを検討する(review)ことができる。さらに、パラメータ識別子１０１２は、ダウンリンク上で無線フレームを送信した基地局に対応する１つまたは複数のパラメータを決定するために、同期信号評価器１０１０によって実現された分析をレバレッジすることができる。アクセス端末１０００は、モジュレータ１０１４と、例えば基地局、別のアクセス端末等に信号を送信する送信機１０１６とをさらに備える。プロセッサ１００６と離れているものとして図示されたが、同期信号評価器１０１０、パラメータ識別子１０１２、および／または、モジュレータ１０１４は、プロセッサ１００６あるいは多数のプロセッサ（図示されず）の一部であることができるということは理解されるべきである。
【００７３】
図１１は、無線通信環境におけるアクセス端末に対し、パラメータ（単数または複数）を示すために同期信号を利用するシステム１１００の図である。システム１１００は、複数の受信アンテナ１１０６を通じて１つまたは複数のアクセス端末１１０４から信号（単数または複数）を受信する受信機１１１０と、送信アンテナ１１０８を通じて１つまたは複数のアクセス端末１１０４に対して送信する送信機１１２２と、を備えた基地局１１０２（例、アクセスポイント、…）を備える。受信機１１１０は、受信アンテナ１１０６から情報を受信することができ、受信された情報を復調するデモジュレータ１１１２に動作的に関連づけられる。復調されたシンボルは、図１０に関して上記で記載されたプロセッサと同じであることができるプロセッサ１１１４によって分析されており、アクセス端末（単数または複数）（あるいは異なる基地局（図示されず））１１０４に対して送信される予定あるいは受信される予定であるデータ、及び／または、ここにおいて記載された様々な動作及び機能を実行することに関するいずれの他の適切な情報、を保存するメモリに結合される。プロセッサ１１１４は、それに関連づけられたパラメータ（単数または複数）の関数として、アクセス端末（単数または複数）１１０４への送信のために同期信号を生み出す同期化信号生成器１１１８にさらに結合される。例えば、同期信号生成器１１１８は、パラメータに基づいてＰＳＣシーケンスを選択し、パラメータの関数として、相対的な位置においてＰＳＣ及びＳＳＣを位置づけ、パラメータに基づいて無線フレームからＰＳＣを含有あるいは削除し、パラメータに基づいてＰＲＳを選択する等をすることができる。同期信号生成器１１１８は、図４の同期信号生成器４０８と実質的には同じであり得るということが予期される。図示されていないが、同期信号生成器１１１８は選択器（例、図４の選択器４１４と実質的には同じ）及び／またはスケジューラ（例、図４のスケジューラ４１６と実質的には同じ）を含むことができるということが理解されるべきである。さらに、同期信号生成器１１１８は、モジュレータ１１２０に対して送信されるべき情報（例、無線フレーム、…）を提供することができる。モジュレータ１１２０は、アクセス端末（単数または複数）１１０４へのアンテナ１１０８を通じた送信機１１２２による送信のために、フレームを多重化することができる。プロセッサ１１１４から離れているものとして図示されているが、同期信号生成器１１１８及び／またはモジュレータ１１２０は、プロセッサ１１１４あるいは多数のプロセッサ（図示されず）の一部であることができるということは理解されるべきである。
【００７４】
図１２は、無線通信システム１２００の例を示す。無線通信システム１２００は、簡潔のために、１つの基地局１２１０と１つのアクセス端末１２５０を図示する。しかしながら、システム１２００は、１以上の基地局及び／または１以上のアクセス端末を含むことができると理解されるべきであり、ここにおいては、さらなる基地局及び／またはアクセス端末は、下記で説明されている基地局１２１０及びアクセス端末１２５０の例と実質的には同じあるいは異なる、ことができる。さらに、基地局１２１０及び／またはアクセス端末１２５０は、それらの間の無線通信を容易にするためにここにおいて説明されているシステム（図１、４、１０−１１、及び１３−１４）及び／または方法（図７−９）を利用することができる。
【００７５】
基地局１２１０では、多数のデータストリームのためのトラヒックデータは、データソース１２１２から送信（ＴＸ）データプロセッサ１２１４に提供される。一例によると、各データストリームは、それぞれのアンテナにわたって送信されることができる。ＴＸデータプロセッサ１２１４は、コード化されたデータを提供するためにそのデータストリームについて選択された特定のコード化スキームに基づいて、トラヒックデータストリームをフォーマット化し、コード化し、インタリーブする。
【００７６】
各データストリームのためのコード化されたデータは、直交周波数分割多重化（ＯＦＤＭ）技術を使用して、パイロットデータで多重化されることができる。追加的に、あるいは、代替的に、パイロットシンボルは、周波数分割多重化（ＦＤＭ）、時分割多重化（ＴＤＭ）、あるいは符号分割多重多重化（ＣＤＭ）されることができる。パイロットデータは、知られた方法で処理される典型的な既知データパターンであり、チャネル応答を推定するためにアクセス端末１２５０で使用されることができる。各データストリームについて多重化されたパイロット及びコード化されたデータは、変調シンボルを提供するためにそのデータストリームについて選択された特定の変調スキーム（例えば、バイナリ位相シフトキーイング（ＢＰＳＫ）、直角位相シフトキーイング(quadrature phase-shift keying)（ＱＰＳＫ）、Ｍ位相シフトキーイング(M-phase-shift keying)（Ｍ−ＰＳＫ）、Ｍ直角振幅変調(M-quadrature amplitude modulation)(Ｍ−ＱＡＭ)等）に基づいて変調される（シンボルマッピングされる）ことができる。各データストリームのデータレート、コード化、及び変調は、プロセッサ１２３０によって実行されあるいは提供される命令によって決定されることができる。
【００７７】
データストリームについての変調シンボルは、ＴＸ ＭＩＭＯプロセッサ１２２０に提供されることができ、そしてそれは、変調シンボル（例、ＯＦＤＭ用）をさらに処理することができる。ＴＸ ＭＩＭＯプロセッサ１２２０は、そのあとで、ＮＴ送信機（ＴＭＴＲ）１２２２ａ〜１２２２ｔに対してＮＴ変調シンボルストリームを提供する。様々な実施形態においては、ＴＸ ＭＩＭＯプロセッサ１２２０は、データストリームのシンボルに対して、及び、シンボルが送信されているアンテナに対して、ビームフォーミングの重み(beamforming weights)を適用する。
【００７８】
各送信機１２２２は、１つまたは複数のアナログ信号を提供するために、それぞれのシンボルストリームを受信し、処理し、そして、ＭＩＭＯチャネルにわたる送信に適切な変調信号を提供するためにアナログ信号をさらに条件付ける（例、増幅し、フィルタにかけ、そしてアップコンバートする）。さらに、送信機１２２２ａ〜１２２２ｔからのＮＴ変調信号は、それぞれ、ＮＴアンテナ１２２４ａ〜１２２４ｔから送信される。
【００７９】
モバイルデバイス１２５０で、送信された変調信号は、ＮＲアンテナ１２５２ａ〜１２５２ｒによって受信され、そして、各アンテナ１０５２から受信された信号は、それぞれの受信機（ＲＣＶＲ）１２５４ａ〜１２５４ｒに対して提供される。各受信機１２５４は、それぞれの信号を条件付け（例、フィルタにかけ、増幅し、そしてダウンコンバートする）、サンプルを提供するために条件付けられた信号をデジタル化し、そして、対応する「受信された」シンボルストリームを提供するためにサンプルをさらに処理する。
【００８０】
ＲＸデータプロセッサ１２６０は、ＮＴ「検出された」シンボルストリームを提供するために、特定の受信機の処理技術に基づいて、ＮＲ受信機１２５４からＮＲ受信されたシンボルストリームを受信し、処理することができる。ＲＸデータプロセッサ１２６０は、データストリームについてのトラヒックデータを回復するためにそれぞれの検出されたシンボルストリームを復調し、デインタリーブし、そしてデコードすることができる。ＲＸデータプロセッサ１２６０による処理は、基地局１２１０でＴＸ ＭＩＭＯプロセッサ１２２０及びＴＸデータプロセッサ１２１４によって実行されたものの補完(complimentary)である。
【００８１】
プロセッサ１２７０は、上記で説明されているように、どのプレコーディングマトリクス(pre-coding matrix)を使用するかを周期的に(periodically)決定することができる。さらに、プロセッサ１２７０は、マトリクスインデックス部分(matrix index portion)及びランク値部分(rank value portion)を備えている逆方向リンクメッセージを公式化する (formulate)ことができる。
【００８２】
逆方向リンクメッセージは、通信リンク及び／または受信されたデータストリームに関する様々なタイプの情報を備えることができる。逆方向リンクメッセージは、ＴＸデータプロセッサ１２３８によって処理され、そしてそれはまた、データソース１２３６から多数のデータストリームについてトラヒックデータを受信し、モジュレータ１２８０によって変調され、送信機１２５４ａ〜１２５４ｒによって条件づけされ、そして、基地局１２１０に戻って送信されることができる。
【００８３】
基地局１２１０において、アクセス端末１２５０からの変調信号は、アクセス端末１２５０によって送信される逆方向リンクメッセージを抽出するために、アンテナ１２２４によって受信され、受信機１２２２によって条件づけられ、デモジュレータ１２４０によって復調され、そして、ＲＸデータプロセッサ１２４２によって処理される。さらに、プロセッサ１２３０は、ビームフォーミングの重みを決定するのにどのプレコーディングマトリクスを使用するかを決定するために、抽出されたメッセージを処理することができる。
【００８４】
プロセッサ１２３０及び１２７０は、それぞれ、基地局１２１０及びモバイルデバイス１２５０におけるオペレーションを指示する（例、制御し、調節し(coordinate)、管理する等）ことができる。それぞれのプロセッサ１２３０及び１２７０は、プログラムコード及びデータを保存するメモリ１２３２及び１２７２に関連づけられることができる。プロセッサ１２３０及び１２７０はまた、それぞれ、アップリンク及びダウンリンクについての周波数とインパルスの応答推定値と(frequency and impulse response estimates)を導出するために、計算を実行することができる。
【００８５】
一態様において、論理チャネルは、制御チャネル及びトラヒックチャネルに分類される。論理制御チャネルは、ブロードキャスト制御チャネル(Broadcast Control Channel)（ＢＣＣＨ）を含むことができ、そしてそれは、システム制御情報をブロードキャストするためのＤＬチャネルである。さらに、論理制御チャネルは、ページング制御チャネル(Paging Control Channel)（ＰＣＣＨ）を含むことができ、そしてそれは、ページング情報を転送するＤＬチャネルである。さらに、論理制御チャネルは、マルチキャスト制御チャネル（ＭＣＣＨ）を備えることができ、そしてそれは、１つあるいはいくつかのＭＴＣＨｓのためのマルチメディアブロードキャスト及びマルチキャストサービス（ＭＢＭＳ）のスケジューリング及び制御情報を送信するために使用されたポイント・ツー・マルチポイント ＤＬチャネル(Point-to-multipoint DL channel)である。一般的に、無線リソース制御(Radio Resource Control)（ＲＲＣ）接続を確立した後で、このチャネルは、ＭＢＭＳ（例、古いＭＣＣＨ＋ＭＳＣＨ）を受信するＵＥｓによってのみ使用される。さらに、論理制御チャネルは、専用制御チャネル(Dedicated Control Channel)（ＤＣＣＨ）を含むことができ、そしてそれは、専用制御情報を送信するポイント・ツー・ポイントの双方向チャネルであり、ＲＲＣ接続を有するＵＥｓによって使用されることができる。一態様においては、論理トラヒックチャネルは、専用トラヒックチャネル（ＤＴＣＨ）を備えることができ、そしてそれは、ユーザ情報の転送のための、１つのＵＥ専用のポイント・ツー・ポイントの双方向チャネルである。また、論理トラヒックチャネルは、トラヒックデータを送信するために、ポイント・ツー・マルチポイントのＤＬチャネルのためのマルチキャストトラヒックチャネル（ＭＴＣＨ）を含むことができる。
【００８６】
一態様では、トランスポートチャネルは、ＤＬとＵＬに分類される。ＤＬトランスポートチャネルは、ブロードキャストチャネル（ＢＣＨ）、ダウンリンク共有データチャネル（ＤＬ−ＳＤＣＨ）、及びページングチャネル（ＰＣＨ）を備える。ＰＣＨは、全セルにわたってブロードキャストされ、他の制御／トラヒックチャネルに使用されることができる物理層（ＰＨＹ）リソースにマッピングされることによって、ＵＥ電力節約（例、不連続受信（ＤＲＸ）サイクルは、ＵＥに対しネットワークによって示されることができる、…）をサポートすることができる。ＵＬトランスポートチャネルは、ランダムアクセスチャネル(Random Access Channel)（ＲＡＣＨ）、リクエストチャネル(Request Channel)（ＲＥＱＣＨ）、アップリンク共有データチャネル(Uplink Shared Data Channel)（ＵＬ−ＳＤＣＨ）、及び複数のＰＨＹチャネルを備えることができる。
【００８７】
ＰＨＹチャネルは、１セットのＤＬチャネル及びＵＬチャネルを含むことができる。例えば、ＤＬ ＰＨＹチャネルは、共通パイロットチャネル(Common Pilot Channel)（ＣＰＩＣＨ）、同期化チャネル(Synchronization Channel)（ＳＣＨ）、共通制御チャネル(Common Control Channel)（ＣＣＣＨ）、共有ＤＬ制御チャネル(Shared DL Control Channel)（ＳＤＣＣＨ）、マルチキャスト制御チャネル(Multicast Control Channel)（ＭＣＣＨ）、共有ＵＬ割り当てチャネル(Shared UL Assignment Channel)（ＳＵＡＣＨ）、肯定応答チャネル(Acknowledgement Channel)（ＡＣＫＣＨ）、ＤＬ物理共有データチャネル(DL Physical Shared Data Channel)（ＤＬ−ＰＳＤＣＨ）、ＵＬ電力制御チャネル(UL Power Control Channel)（ＵＰＣＣＨ）、ページングインジケータチャネル(Paging Indicator Channel)（ＰＩＣＨ）、及び／または、ロードインジケータチャネル(Load Indicator Channel)（ＬＩＣＨ）を含むことができる。さらなる例として、ＵＬ ＰＨＹチャネルは、物理ランダムアクセスチャネル(Physical Random Access Channel)（ＰＲＡＣＨ）、チャネル品質インジケータチャネル(Channel Quality Indicator Channel)（ＣＱＩＣＨ）、肯定応答チャネル(Acknowledgement Channel)（ＡＣＫＣＨ）、アンテナサブセットインジケータチャネル(Antenna Subset Indicator Channel)（ＡＳＩＣＨ）、共有リクエストチャネル(Shared Request Channel)（ＳＲＥＱＣＨ）、ＵＬ物理的共有データチャネル(UL Physical Shared Data Channel)（ＵＬ−ＰＳＤＣＨ）、及び／または、ブロードバンドパイロットチャネル(Broadband Pilot Channel)（ＢＰＩＣＨ）を含むことができる。
【００８８】
ここにおいて説明された実施形態は、ハードウェア、ソフトウェア、ファームウェア、ミドルウェア、マイクロコード、あるいはそれらのいずれの組み合わせにおいてインプリメントされることができるということは理解されるべきである。ハードウェアのインプリメンテーションの場合、処理ユニットは、１つまたは複数の特定用途向け集積回路（ＡＳＩＣｓ）、デジタルシグナルプロセッサ（ＤＳＰｓ）、デジタルシグナルプロセッシングデバイス（ＤＳＰＤｓ）、プログラマブル論理デバイス（ＰＬＤｓ）、フィールドプログラマブルゲートアレイ（ＦＰＧＡｓ）、プロセッサ、コントローラ、マイクロコントローラ、マイクロプロセッサ、ここにおいて説明される機能を実行するように設計された他の電子ユニット、あるいは、それらの組み合わせ、の内でインプリメントされることができる。
【００８９】
実施形態がソフトウェア、ファームウェア、ミドルウェア、あるいはマイクロコード、プログラムコード、あるいはコードセグメントにおいてインプリメントされるとき、それらは、例えばストレージコンポーネントとして、マシン可読媒体において保存されることができる。コードセグメントは、プロシージャ(procedure)、機能(function)、サブプログラム、プログラム、ルーチン、サブルーチン、モジュール、ソフトウェアパッケージ、クラス、あるいはインストラクション、データ構造、あるいはプログラムステートメント (program statements)のいずれの組み合わせ、を表わすことができる。コードセグメントは、情報、データ、アーギュメント、パラメータ、あるいはメモリコンテンツを受け渡すこと、及び／または、受信することによって、別のコードセグメントあるいはハードウェア回路に結合されることができる。情報、アーギュメント、パラメータ、データ等は、メモリ共有、メッセージ受け渡し、トークンパッシング(token passing)、ネットワーク送信等を含んでいるいずれの適切な手段を使用して、受け渡され、転送され(forwarded)、あるいは送信されることができる。
【００９０】
ソフトウェアのインプリメンテーションの場合、ここにおいて説明された技術は、ここにおいて説明されている関数を実行するモジュール（例、プロシージャ、機能、等）でインプリメントされることができる。ソフトウェアコードはメモリユニットにおいて保存され、プロセッサによって実行されることができる。メモリユニットは、プロセッサ内で、あるいはプロセッサに外付けで、インプリメントされることができ、いずれのケースにおいても、当技術分野において知られているように様々な手段を介してプロセッサに通信的に結合されることができる。
【００９１】
図１３を参照すると、無線通信環境における少なくとも１つのアクセス端末に対して１つまたは複数のパラメータを効率的に示すことを可能にするシステム１３００が図示されている。例えば、システム１３００は、基地局内で、少なくとも部分的に存在することができる。システム１３００は、機能ブロックを含んでいるものとして、表されているということが理解されるべきであり、そしてそれは、プロセッサ、ソフトウェア、あるいはそれらの組み合わせ（例、ファームウェア）によってインプリメントされる機能を表わす機能ブロック図であることができる。システム１３００は、一緒に作用することができる電子コンポーネントの論理グルーピング１３０２を含む。例えば、論理グルーピング１３０２は、基地局に対応しているパラメータの関数として無線フレームにおいて相対的な位置でプライマリ同期化コード（ＰＳＣ）とセカンダリ同期化コード（ＳＳＣ）をスケジュールするための電子コンポーネント１３０４を含むことができる。さらに、論理グルーピングは、ＰＳＣ及びＳＳＣの相対的な位置に基づいてパラメータを識別するためにダウンリンク上で無線フレームを送信するための電子コンポーネント１３０６を備えることができる。さらに、図示されていないが、論理グルーピングはまた、基地局のパラメータに基づいてＰＳＣシーケンスを選択するための電子コンポーネントと、その選択されたＰＳＣシーケンスに基づいてＰＳＣを生成するための電子コンポーネントと、を含むことができる。さらに、システム１３００は、電子コンポーネント１３０４及び１３０６に関連づけられた機能を実行するための命令を保持するメモリ１３０８を含むことができる。メモリ１３０８の外側にあるものとして示されているが、電子コンポーネント１３０４及び１３０６のうちの１つまたは複数は、メモリ１３０８内で存在することができるということが理解されるべきである。
【００９２】
図１４に戻ると、無線通信環境における基地局に関して、１つまたは複数のパラメータを識別することを可能にするシステム１４００が図示されている。システム１４００は、例えば、アクセス端末内で存在することができる。図示されているように、システム１４００は、プロセッサ、ソフトウェア、あるいはそれらの組み合わせ（例、ファームウェア）によってインプリメントされる機能を表すことができる機能ブロック図を含む。システム１４００は、共に作用できる電子コンポーネントのうちの論理グループ１４０２を含む。論理グループ１４０２は、異なるタイプの同期信号の相対的な位置、特定タイプの同期信号を生成するために利用されたシーケンス、あるいは無線フレームが２つのタイプの同期信号を含むかどうか、のうちの少なくとも１つを解読するために基地局から受信された無線フレームを分析するための電子コンポーネント１４０４を含むことができる。例えば、異なるタイプの同期信号は、ＰＳＣｓとＳＳＣｓであることができる。さらに、シーケンスはＰＳＣシーケンスであることができる。さらに、無線フレームは、少なくとも１つのＰＳＣ及び少なくとも１つのＳＳＣ、あるいは、ＰＳＣなしの少なくとも１つのＳＳＣを含むかどうかを決定するために分析されることができる。さらに、論理グループ１４０２は、基地局に関連づけられた少なくとも１つのパラメータを、相対的な位置、シーケンス、あるいは、無線フレームが２つのタイプの同期信号を含むかどうか、に基づいて認識するための電子コンポーネント１４０６を含むことができる。さらに、システム１４００は、電子コンポーネント１４０４及び１４０６に関連づけられた機能を実行するための命令を保持するメモリ１４０８を含むことができる。メモリ１４０８の外側にあるものとして示されているが、電子コンポーネント１４０４及び１４０６はメモリ１４０８内に存在することができるということが理解されるべきである。
【００９３】
上記で説明されてきたものは、１つまたは複数の実施形態の例を含む。前述した実施形態を説明する目的のためにすべての考えられるだけのコンポーネントあるいは方法の組み合わせを記述することは、勿論、可能ではないが、当業者は、様々な実施形態の、多くのさらなる組み合わせと並び替えが可能であるということを理解することが出来る。したがって、記載された実施形態は、特許請求の範囲の精神及び範囲の中に入る、すべてのそのような変更、修正、及び変形を包含するように意図されている。さらに、用語「含む(includes)」が、詳細な説明あるいは特許請求の範囲のいずれかにおいて使用されている範囲内において、そのような用語は、用語「備えている(comprising)」がトランジショナルワード(transitional word)として請求項において使用されるときに解釈されるように、用語「備えている(comprising)」と同様な方法で包括的であるように意図されている。
以下に、本願出願の当初の特許請求の範囲に記載された発明を付記する。
［付記］
［１］無線通信環境における基地局に関する１つまたは複数のパラメータを識別することを容易にする方法であって、
プライマリ同期化コード（ＰＳＣ）及びセカンダリ同期化コード（ＳＳＣ）を生成することと、
基地局に対応する第１のパラメータの関数として、無線フレームにおいて相対的な位置で、前記ＰＳＣと前記ＳＳＣをスケジュールすることと、
前記ＰＳＣと前記ＳＳＣの前記相対的な位置に基づいて、前記第１のパラメータを示すために、ダウンリンク上で前記無線フレームを送信することと、
を備えている方法。
［２］前記第１のパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局はユニキャストシステムあるいはマルチキャストシステムに関連づけられているかどうか、のうちの1つまたは複数である、［１］に記載の方法。
[３]フレーム構造タイプ１が前記基地局によって利用されるとき、前記無線フレームの１つまたは複数のスロットにおいて最後のシンボルに前記ＰＳＣをマッピングし、前記最後のシンボルの直前の隣接シンボルに前記ＳＳＣをマッピングすることと、
フレーム構造タイプ２が前記基地局によって利用されるとき、前記無線フレームの１つまたは複数のスロットにおいて前記最後のシンボルにＳＳＣをマッピングし、前記最後のシンボルの直前の隣接シンボルに前記ＰＳＣをマッピングすることと、
をさらに備える［１］に記載の方法。
［４］前記基地局の第２のパラメータに基づいて、プライマリ同期コード（ＰＳＣ）シーケンスを選択することと、前記第２のパラメータは、実質的には、前記第１のパラメータと類似しているあるいは異なり；
前記選択されたＰＳＣシーケンスに基づいて、前記ＰＳＣを生成することと；
をさらに備える［１］に記載方法。
［５］１セットの４つの可能ＰＳＣシーケンスから前記ＰＳＣシーケンスを選択すること、をさらに備え、前記セットは３つの共通利用されたＰＳＣシーケンスと、第４の追加ＰＳＣシーケンスとを含む、［４］に記載の方法。
［６］前記３つの共通利用されたＰＳＣシーケンスのうち２つは互いの複素共役であり、前記３つの共通利用されたＰＳＣシーケンスのうちの残りのＰＳＣシーケンスと、前記第４の追加ＰＳＣシーケンスとは、互いの複素共役である、［５］に記載の方法。
［７］フレーム構造タイプ１が前記基地局によって利用されるとき、前記３つの共通利用されたＰＳＣシーケンスのうちの１つを選択することと、
フレーム構造タイプ２が前記基地局によって利用されるとき、前記第４の追加ＰＳＣシーケンスを選択することと、
をさらに備える［５］に記載の方法。
［８］ユニキャストキャリアが前記基地局によって利用されるとき、前記３つの共通に利用されたＰＳＣシーケンスのうちの１つを選択することと、
マルチキャストキャリアが前記基地局によって利用されるとき、前記第４の追加ＰＳＣシーケンスを選択することと、
をさらに備える［５］に記載の方法。
［９］前記基地局に関連づけられた第３のパラメータの関数として、共通セルＩＤに異なる擬似ランダムシーケンス（ＰＲＳｓ）をマッピングすることと、をさらに備える［１］に記載の方法。
［１０］前記基地局に関連づけられた第４のパラメータの関数として、異なるトーン位置に擬似ランダムシーケンス（ＰＲＳｓ）をマッピングすることと、をさらに備える［１］に記載の方法。
［１１］フレーム構造タイプ２を利用するときに前記無線フレームから前記ＰＳＣを削除すること、をさらに備える［１］に記載の方法。
［１２］前記基地局に関連づけられた第５のパラメータの関数として、前記ＳＳＣを生み出すためにＳＳＣシーケンスの上で利用される予定である１セットの可能スクランブリングコードから特定のスクランブリングコードを選択すること、をさらに備える［１］に記載の方法。
［１３］前記基地局に関連づけられた第６のパラメータの関数として、前記ＳＳＣを生成するためにＳＳＣシーケンスの上で利用されるように特定のスクランブリングコードが選ばれることができる１セットの可能スクランブリングコードを選択すること、をさらに備える［１］に記載の方法。
［１４］基地局の第１のパラメータに基づいて、プライマリ同期化コード（ＰＳＣ）シーケンスを選択することと、前記選択されたＰＳＣシーケンスに基づいてプライマリ同期化コード（ＰＳＣ）を生成することと、前記選択されたＰＳＣシーケンスに基づいて前記第１のパラメータを示すためにダウンリンク上で前記生成ＰＳＣを含む無線フレームを送信することと、に関する命令を保持するメモリと、
前記メモリに保持された前記命令を実行するように構成された、前記メモリに結合されたプロセッサと、
を備える無線通信装置。
［１５］前記第１のパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［１４］に記載の無線通信装置。
［１６］前記メモリは、１セットの４つの可能ＰＳＣシーケンスから前記ＰＳＣシーケンスを選択すること、に関する命令をさらに保持し、前記セットは、３つの共通利用されたＰＳＣシーケンスと、第４の追加ＰＳＣシーケンスとを含む、［１４］に記載の無線通信装置。
［１７］前記３つの共通利用されたＰＳＣシーケンスのうち２つは互いの複素共役であり、前記３つの共通利用されたＰＳＣシーケンスのうちの残りのＰＳＣシーケンスと、前記第４の追加ＰＳＣシーケンスとは、互いの複素共役である、［１６］に記載の無線通信装置。
［１８］前記メモリは、フレーム構造タイプ１が前記基地局によって利用されるとき、前記３つの共通利用されたＰＳＣシーケンスのうちの１つを選択することと、フレーム構造タイプ２が前記基地局によって利用されるとき、前記第４の追加ＰＳＣシーケンスを選択することと、に関する命令をさらに保持する、［１６］に記載の無線通信装置。
［１９］前記メモリは、ユニキャストキャリアが前記基地局によって利用されるとき、前記３つの共通に利用されたＰＳＣシーケンスのうちの１つを選択することと、マルチキャストキャリアが前記基地局によって利用されるとき、前記第４の追加ＰＳＣシーケンスを選択することと、に関する命令をさらに保持する、［１６］に記載の無線通信装置。
［２０］前記メモリは、セカンダリ同期化コード（ＳＳＣ）を生成することと、前記基地局に関する第２のパラメータの関数として、前記無線フレームにおいて相対的な位置で前記ＰＳＣ及び前記ＳＳＣをスケジュールすることと、に関する命令をさらに保持する、［１４］に記載の無線通信装置。
［２１］前記メモリは、フレーム構造タイプ１が前記基地局によって利用されるとき、前記無線フレームの１つまたは複数のスロットにおいて最後のシンボルに前記ＰＳＣをマッピングし、前記最後のシンボルの直前の隣接シンボルに前記ＳＳＣをマッピングすることと、フレーム構造タイプ２が前記基地局によって利用されるとき、前記無線フレームの１つまたは複数のスロットにおいて前記最後のシンボルにＳＳＣをマッピングし、前記最後のシンボルの直前の前記隣接シンボルに前記ＰＳＣをマッピングすることと、に関する命令をさらに保持する、［２０］に記載の無線通信装置。
［２２］前記メモリは、前記基地局に関する１つまたは複数のパラメータの関数として、１セットの可能スクランブリングコードのうちの少なくとも１つ、あるいは、前記セットの可能スクランブリングコードからの特定のスクランブリングコード、を選択すること、に関する命令をさらに保持する、［２０］に記載の無線通信装置。
［２３］前記メモリは、前記基地局に関連づけられた第３のパラメータの関数として、共通セルＩＤに異なる擬似ランダムシーケンス（ＰＲＳｓ）をマッピングすることと、に関する命令をさらに保持する、［１４］に記載の無線通信装置。
［２４］前記メモリは、前記基地局に関連づけられた第４のパラメータの関数として、異なるトーン位置に、異なる擬似ランダムシーケンス（ＰＲＳｓ）をマッピングすること、に関する命令をさらに保持する、［１４］に記載の無線通信装置。
［２５］前記メモリは、フレーム構造タイプ２を利用するときに前記無線フレームから前記ＰＳＣを削除すること、に関する命令をさらに保持する、［１４］に記載の無線通信装置。
［２６］無線通信環境における少なくとも１つのアクセス端末に対して１つまたは複数のパラメータを効率的に示すことが可能である無線通信装置であって、
基地局に対応する第１のパラメータの関数として、無線フレームにおいて相対的な位置で、プライマリ同期化コード（ＰＳＣ）とセカンダリ同期化コード（ＳＳＣ）をスケジュールするための手段と、
前記ＰＳＣ及びＳＳＣの前記相対的な位置に基づいて前記第１のパラメータを識別するためにダウンリンク上で前記無線フレームを送信するための手段と、
を備える無線通信装置。
［２７］前記第１のパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［２６］に記載の無線通信装置。
［２８］フレーム構造タイプ１が前記基地局によって利用されるとき、前記無線フレームの１つまたは複数のスロットにおいて最後のシンボルに前記ＰＳＣをマッピングし、前記最後のシンボルの直前の隣接シンボルに前記ＳＳＣをマッピングするための手段と、
フレーム構造タイプ２が前記基地局によって利用されるとき、前記無線フレームの１つまたは複数のスロットにおいて前記最後のシンボルにＳＳＣをマッピングし、前記最後のシンボルの直前の前記隣接シンボルに前記ＰＳＣをマッピングするための手段と、
をさらに備える［２６］に記載の無線通信装置。
［２９］前記基地局の第２のパラメータに基づいてＰＳＣシーケンスを選択するための手段と、前記選択されたＰＳＣシーケンスに基づいて前記ＰＳＣを生成するための手段のための手段と、をさらに備える［２６］に記載の無線通信装置。
［３０］１セットの４つの可能ＰＳＣシーケンスから前記ＰＳＣシーケンスを選択するための手段、をさらに備え、前記セットは３つの共通利用されたＰＳＣシーケンスと、第４の追加ＰＳＣシーケンスとを含む、［２９］に記載の無線通信装置。
［３１］前記３つの共通利用されたＰＳＣシーケンスのうち２つは互いの複素共役であり、前記３つの共通利用されたＰＳＣシーケンスのうちの残りのＰＳＣシーケンスと前記第４の追加ＰＳＣシーケンスとは、互いの複素共役である、［３０］に記載の無線通信装置。
［３２］フレーム構造タイプ１が前記基地局によって利用されるとき、前記３つの共通利用されたＰＳＣシーケンスのうちの１つを選択するための手段と、
フレーム構造タイプ２が前記基地局によって利用されるとき、前記第４の追加ＰＳＣシーケンスを選択するための手段と、
をさらに備える［３０］に記載の無線通信装置。
［３３］ユニキャストキャリアが前記基地局によって利用されるとき、前記３つの共通に利用されたＰＳＣシーケンスのうちの１つを選択するための手段と、
マルチキャストキャリアが前記基地局によって利用されるとき、前記第４の追加ＰＳＣシーケンスを選択するための手段と、
をさらに備える［３０］に記載の無線通信装置。
［３４］前記基地局に関連づけられた第３のパラメータの関数として、共通セルＩＤに異なる擬似ランダムシーケンス（ＰＲＳｓ）をマッピングするための手段、をさらに備える［２６］に記載の無線通信装置。
［３５］前記基地局に関連づけられた第４のパラメータの関数として、異なるトーン位置に擬似ランダムシーケンス（ＰＲＳｓ）をマッピングするための手段、をさらに備える［２６］に記載の無線通信装置。
［３６］フレーム構造タイプ２を利用するときに前記無線フレームから前記ＰＳＣを削除するための手段、をさらに備える［２６］に記載の無線通信装置。
［３７］前記基地局に関する第５のパラメータの関数として、前記ＳＳＣを生成するためにＳＳＣシーケンスの上で使用される予定である１セットの可能スクランブリングコードから特定のスクランブリングコードを選択するための手段、をさらに備える［２６］記載の無線通信装置。
［３８］前記基地局に関連づけられた第６のパラメータの関数として、前記ＳＳＣに関連して使用するために１セットの可能スクランブリングコードを選択するための手段、をさらに備える［２６］に記載の無線通信装置。
［３９］コンピュータプログラムプロダクトであって、コンピュータ可読媒体を備え、前記コンピュータ可読媒体は、
基地局の第１のパラメータに基づいて、プライマリ同期化コード（ＰＳＣ）シーケンスを選択するためのコードと、
前記選択されたＰＳＣシーケンスに基づいてプライマリ同期化コード（ＰＳＣ）を生成するためのコードと、
前記選択されたＰＳＣシーケンスに基づいて前記第１のパラメータを示すためにダウンリンク上で前記生成ＰＳＣを含む無線フレームを送信するためのコードと、
を備える、コンピュータプログラムプロダクト。
［４０］前記第１のパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［３９］に記載のコンピュータプログラムプロダクト。
［４１］前記コンピュータ可読媒体は、１セットの４つの可能ＰＳＣシーケンスから前記ＰＳＣシーケンスを選択するためのコードをさらに備え、前記セットは３つの共通利用されたＰＳＣシーケンスと第４の追加ＰＳＣシーケンスとを含む、［３９］に記載のコンピュータプログラムプロダクト。
［４２］前記３つの共通利用されたＰＳＣシーケンスのうち２つは互いの複素共役であり、前記３つの共通利用されたＰＳＣシーケンスのうちの残りのＰＳＣシーケンスと前記第４の追加ＰＳＣシーケンスとは、互いの複素共役である、［４１］に記載のコンピュータプログラムプロダクト。
［４３］前記コンピュータ可読媒体は、フレーム構造タイプ１が前記基地局によって利用されるとき、前記３つの共通利用されたＰＳＣシーケンスのうちの１つを選択するためのコードと、フレーム構造タイプ２が前記基地局によって利用されるとき、前記第４の追加ＰＳＣシーケンスを選択するためのコードと、をさらに備えている、［４１］に記載のコンピュータプログラムプロダクト。
［４４］前記コンピュータ可読媒体は、ユニキャストキャリアが基地局によって利用されるとき、前記３つの共通に利用されたＰＳＣシーケンスのうちの１つを選択するためのコードと、マルチキャストキャリアが前記基地局によって利用されるとき、前記第４の追加ＰＳＣシーケンスを選択するためのコードと、をさらに備えている、［４１］に記載のコンピュータプログラムプロダクト。
［４５］前記コンピュータ可読媒体は、セカンダリ同期化コード（ＳＳＣ）を生成するためのコードと、前記基地局に関する第２のパラメータの関数として、前記無線フレームにおいて相対的な位置で前記ＰＳＣ及び前記ＳＳＣをスケジュールするためのコードと、をさらに備えている、［３９］に記載のコンピュータプログラムプロダクト。
［４６］前記コンピュータ可読媒体は、フレーム構造タイプ１が前記基地局によって利用されるとき、前記無線フレームの１つまたは複数のスロットにおいて最後のシンボルに前記ＰＳＣをマッピングし、前記最後のシンボルの直前の隣接シンボルに前記ＳＳＣをマッピングするためのコードと、フレーム構造タイプ２が前記基地局によって利用されるとき、前記無線フレームの１つまたは複数のスロットにおいて前記最後のシンボルにＳＳＣをマッピングし、前記最後のシンボルの直前の隣接シンボルに前記ＰＳＣをマッピングするためのコードと、をさらに備えている、［４５］に記載のコンピュータプログラムプロダクト。
［４７］前記コンピュータ可読媒体は、前記基地局に関する１つまたは複数のパラメータの関数として、１セットの可能スクランブリングコードのうちの少なくとも１つ、あるいは、前記１セットの可能スクランブリングコードからの特定のスクランブリングコード、を選択するためのコードをさらに備えている、［４５］に記載のコンピュータプログラムプロダクト。
［４８］前記コンピュータ可読媒体は、前記基地局に関連づけられた第３のパラメータの関数として、共通セルＩＤに異なる擬似ランダムシーケンス（ＰＲＳｓ）をマッピングするためのコードをさらに備えている、［３９］に記載のコンピュータプログラムプロダクト。
［４９］前記コンピュータ可読媒体は、前記基地局に関連づけられた第４のパラメータの関数として、異なるトーン位置に異なる擬似ランダムシーケンス（ＰＲＳｓ）をマッピングするためのコード、をさらに備えている、［３９］に記載のコンピュータプログラムプロダクト。
［５０］前記コンピュータ可読媒体は、フレーム構造タイプ２を利用するときに前記無線フレームから前記ＰＳＣを削除するためのコード、をさらに備えている、［３９］に記載のコンピュータプログラムプロダクト。
［５１］無線通信システムにおいて、装置は、プロセッサを備えており、
前記プロセッサは、
基地局に対応する第１のパラメータの関数として、無線フレームにおいて相対的な位置で、プライマリ同期化コード（ＰＳＣ）とセカンダリ同期化コード（ＳＳＣ）をスケジュールするように、
前記ＰＳＣ及びＳＳＣの前記相対的な位置に基づいて前記第１のパラメータを識別するためにダウンリンク上で前記無線フレームを送信するように、
構成されている、装置。
［５２］無線通信環境における基地局に対応する少なくとも１つのパラメータを解読することを容易にする方法であって、
基地局から無線フレームを受信することと、
異なるタイプの同期信号の相対的な位置、特定タイプの同期信号を生成するために利用されたシーケンス、あるいは前記無線フレームが２つのタイプの同期信号を含むかどうか、のうちの少なくとも１つを決定するために前記無線フレームを分析することと、
前記基地局に関連づけられた少なくとも１つのパラメータを、前記相対的な位置、前記シーケンス、あるいは、前記無線フレームが２つのタイプの同期信号を含むかどうか、に基づいて認識することと、
を備えている、方法。
［５３］プライマリ同期化コード（ＰＳＣ）とセカンダリ同期化コード（ＳＳＣ）の前記相対的な位置を識別することと、
前記識別された相対的な位置に少なくとも部分的に基づいて前記少なくとも１つのパラメータのうちの１つまたは複数を認識することと、
をさらに備えている［５２］に記載の方法。
［５４］前記受信された無線フレームに含まれるＰＳＣを生成するために使用されるプライマリ同期化コード（ＰＳＣ）シーケンスを決定することと、
前記決定されたＰＳＣシーケンスに少なくとも部分的に基づいて前記少なくとも１つのパラメータのうちの１つまたは複数を解読することと、
をさらに備えている［５２］に記載の方法。
［５５］ＰＳＣが前記無線フレームに含まれているあるいは排除されているかどうかを識別することと、
前記ＰＳＣが前記無線フレームに含まれているあるいは排除されているかどうかに少なくとも部分的に基づいて、前記少なくとも１つのパラメータのうちの１つまたは複数を決定することと、
をさらに備えている［５２］に記載の方法。
［５６］前記無線フレームに関連づけられた擬似ランダムシーケンスマッピングを分析することと、
前記擬似ランダムシーケンスマッピングに少なくとも部分的に基づいて前記少なくとも１つのパラメータのうちの１つまたは複数を決定することと、
をさらに備えている、［５２］に記載の方法。
［５７］ＳＳＣをスクランブルするために前記基地局によって使用されるスクランブリングコードを識別すること、
前記スクランブリングコードの前記の識別情報に少なくとも部分的に基づいて前記少なくとも１つのパラメータのうちの１つまたは複数を決定することと、
をさらに備えている、［５２］に記載の方法。
［５８］前記少なくとも１つのパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局はユニキャストシステムあるいはマルチキャストシステムに関連づけられているかどうか、のうちの1つまたは複数である、［５２］に記載の方法。
［５９］無線通信装置であって、
基地局から無線フレームを受信することと、異なるタイプの同期信号の相対的な位置、特定タイプの同期信号を生成するために利用されたシーケンス、あるいは前記無線フレームが２つのタイプの同期信号を含むかどうか、のうちの少なくとも１つを決定するために前記無線フレームを分析することと、前記基地局に関連づけられた少なくとも１つのパラメータを、前記相対的な位置、前記シーケンス、あるいは、前記無線フレームが２つのタイプの同期信号を含むかどうか、に基づいて認識すること、に関する命令を保持するメモリと、
前記メモリに保持される前記命令を実行するように構成された、前記メモリに結合された、プロセッサと、
を備えている無線通信装置。
［６１］前記メモリは、プライマリ同期化コード（ＰＳＣ）とセカンダリ同期化コード（ＳＳＣ）の前記相対的な位置を識別することと、前記識別された相対的な位置に少なくとも部分的に基づいて前記少なくとも１つのパラメータのうちの１つまたは複数を認識することと、に関する命令をさらに保持する、［５９］に記載の無線通信装置。
［６１］前記メモリは、前記受信された無線フレームに含まれるＰＳＣを生成するために使用されるプライマリ同期化コード（ＰＳＣ）シーケンスを決定することと、前記決定されたＰＳＣシーケンスに少なくとも部分的に基づいて前記少なくとも１つのパラメータのうちの１つまたは複数を解読することと、に関する命令をさらに保持する、［５９］に記載の無線通信装置。
［６２］前記メモリは、ＰＳＣが前記無線フレームに含まれているあるいは排除されているかどうかを識別することと、前記ＰＳＣが前記無線フレームに含まれているあるいは排除されているかどうかに少なくとも部分的に基づいて、前記少なくとも１つのパラメータのうちの１つまたは複数を決定することと、に関する命令をさらに保持する、［５９］に記載の無線通信装置。
［６３］前記メモリは、前記無線フレームに関連づけられた擬似ランダムシーケンスマッピングを分析することと、前記擬似ランダムシーケンスマッピングに少なくとも部分的に基づいて前記少なくとも１つのパラメータのうちの１つまたは複数を決定することと、に関する命令をさらに保持する、［５９］に記載の無線通信装置。
［６４］前記メモリは、ＳＳＣをスクランブルするために前記基地局によって使用されるスクランブリングコードを識別することと、前記スクランブリングコードの前記の識別情報に少なくとも部分的に基づいて前記少なくとも１つのパラメータのうちの１つまたは複数を決定することと、に関する命令をさらに保持する、［５９］に記載の無線通信装置。
［６５］前記少なくとも１つのパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［５９］に記載の無線通信装置。
［６６］無線通信環境における基地局に関して１つまたは複数のパラメータを識別することを可能にする無線通信装置であって、
異なるタイプの同期信号の相対的な位置、特定タイプの同期信号を生成するために利用されたシーケンス、あるいは無線フレームが２つのタイプの同期信号を含むかどうか、のうちの少なくとも１つを解読するために前記無線フレームを分析するための手段と、
前記基地局に関連づけられた少なくとも１つのパラメータを、前記相対的な位置、前記シーケンス、あるいは、前記無線フレームが２つのタイプの同期信号を含むかどうか、に基づいて認識するための手段と、
を備えている無線通信装置。
［６７］プライマリ同期化コード（ＰＳＣ）とセカンダリ同期化コード（ＳＳＣ）の前記相対的な位置を識別するための手段と、
前記識別された相対的な位置に少なくとも部分的に基づいて前記少なくとも１つのパラメータのうちの１つまたは複数を認識するための手段と、
をさらに備えている［６６］に記載の無線通信装置。
［６８］前記受信された無線フレームに含まれるＰＳＣを生成するために使用されるプライマリ同期化コード（ＰＳＣ）シーケンスを決定するための手段と、
前記決定されたＰＳＣシーケンスに少なくとも部分的に基づいて前記少なくとも１つのパラメータのうちの１つまたは複数を解読するための手段と、
をさらに備えている［６６］に記載の無線通信装置。
［６９］ＰＳＣが前記無線フレームに含まれているあるいは排除されているかどうかを識別するための手段と、
前記ＰＳＣが前記無線フレームに含まれているあるいは排除されているかどうかに少なくとも部分的に基づいて、前記少なくとも１つのパラメータのうちの１つまたは複数を決定するための手段と、
をさらに備えている［６６］に記載の無線通信装置。
［７０］前記無線フレームに関連づけられた擬似ランダムシーケンスマッピングを分析するための手段と、
前記擬似ランダムシーケンスマッピングに少なくとも部分的に基づいて前記少なくとも１つのパラメータのうちの１つまたは複数を決定するための手段と、
をさらに備えている［６６］に記載の無線通信装置。
［７１］ＳＳＣをスクランブルするために前記基地局によって使用されるスクランブリングコードを識別するための手段と、
前記スクランブリングコードの前記の識別情報に少なくとも部分的に基づいて前記少なくとも１つのパラメータのうちの１つまたは複数を解読するための手段と、
をさらに備えている［６６］に記載の無線通信装置。
［７２］前記少なくとも１つのパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［６６］に記載の無線通信装置。
［７３］コンピュータプログラムプロダクトであって、コンピュータ可読媒体を備えており、前記コンピュータ可読媒体は、
異なるタイプの同期信号の相対的な位置、特定タイプの同期信号を生成するために利用されたシーケンス、あるいは無線フレームが２つのタイプの同期信号を含むかどうか、のうちの少なくとも１つを解読するために前記無線フレームを分析するためのコードと、基地局に関連づけられた少なくとも１つのパラメータを、前記相対的な位置、前記シーケンス、あるいは、前記無線フレームが２つのタイプの同期信号を含むかどうか、に基づいて認識するためのコードと、
を備えている、コンピュータプログラムプロダクト。
［７４］前記コンピュータ可読媒体は、プライマリ同期化コード（ＰＳＣ）とセカンダリ同期化コード（ＳＳＣ）の前記相対的な位置を識別するためのコードと、前記識別された相対的な位置に少なくとも部分的に基づいて前記少なくとも１つのパラメータのうちの１つまたは複数を認識するためのコードと、を備えている、［７３］に記載の無線通信装置。
［７５］前記コンピュータ可読媒体は、前記受信された無線フレームに含まれるＰＳＣを生成するために使用されるプライマリ同期化コード（ＰＳＣ）シーケンスを決定するためのコードと、前記決定されたＰＳＣシーケンスに少なくとも部分的に基づいて前記少なくとも１つのパラメータのうちの１つまたは複数を解読するためのコードと、を備えている、［７３］に記載の無線通信装置。
［７６］前記コンピュータ可読媒体は、ＰＳＣが前記無線フレームに含まれているあるいは排除されているかどうかを識別するためのコードと、前記ＰＳＣが前記無線フレームに含まれているあるいは排除されているかどうかに少なくとも部分的に基づいて、前記少なくとも１つのパラメータのうちの１つまたは複数を決定するためのコードと、を備えている、［７３］に記載の無線通信装置。
［７７］前記コンピュータ可読媒体は、前記無線フレームに関連づけられた擬似ランダムシーケンスマッピングを分析するためのコードと、前記擬似ランダムシーケンスマッピングに少なくとも部分的に基づいて前記少なくとも１つのパラメータのうちの１つまたは複数を決定するためのコードと、を備えている、［７３］に記載の無線通信装置。
［７８］前記コンピュータ可読媒体は、ＳＳＣをスクランブルするために基地局によって使用されるスクランブリングコードの識別情報を認識するためのコードと、前記スクランブリングコードの前記識別情報に少なくとも部分的に基づいて前記少なくとも１つのパラメータのうちの１つまたは複数を決定するためのコードと、を備えている、［７３］に記載の無線通信装置。
［７９］前記少なくとも１つのパラメータは、前記基地局が時分割デュプレクス（ＴＤＤ）システムあるいは周波数分割デュプレクス（ＦＤＤ）システムの一部であるかどうか、前記無線フレームがフレーム構造タイプ１（ＦＳ１）あるいはフレーム構造タイプ２（ＦＳ２）を利用するかどうか、前記基地局がマクロセルあるいはフェムトセルに関連づけられているかどうか、あるいは、前記基地局がユニキャストシステムあるいはマルチキャストシステムに関連づけられているかどうか、のうちの1つまたは複数である、［７３］に記載の無線通信装置。
［８０］無線通信システムであって、装置は、
異なるタイプの同期信号の相対的な位置、特定タイプの同期信号を生成するために使用されたシーケンス、あるいは、無線フレームが２つのタイプの同期信号を含むかどうか、のうちの少なくとも１つを解読するために基地局から受信された前記無線フレームを評価するように、
前記基地局に関連づけられた少なくとも１つのパラメータを、前記相対的な位置、前記シーケンス、あるいは、前記無線フレームが２つのタイプの同期信号を含むかどうか、に基づいて決定するように、
構成されたプロセッサを備えている、装置。
【図１】
0005607200.tif 000002
【図２】
0005607200.tif 000003
【図３】
0005607200.tif 000004
【図４】
0005607200.tif 000005
【図５】
0005607200.tif 000006
【図６】
0005607200.tif 000007
【図７】
0005607200.tif 000008
【図８】
0005607200.tif 000009
【図９】
0005607200.tif 000010
【図１０】
0005607200.tif 000011
【図１１】
0005607200.tif 000012
【図１２】
0005607200.tif 000013
【図１３】
0005607200.tif 000014
【図１４】
0005607200.tif 000015